(57)【要約】【課題】ブレードのクリーニングを効果的に行うことができ、また長期使用にも耐えることができる液体吐出装置を提供する。【解決手段】液体を吐出する液体吐出ノズル２６が配列された液体吐出面２７を有する液体吐出ヘッド３と、液体吐出面２７に摺接され、液体吐出面２７を払拭するワイプ部材３４と、ワイプ部材３４が配設されるとともに、ワイプ部材３４を液体吐出ヘッド３と対向する位置と液体吐出ヘッド３から退避する位置との間に亘って移動させる移動部材５と、液体吐出ヘッド３から退避した位置に移動されたワイプ部材３４と摺接されることにより、ワイプ部材３４のクリーニングを行うクリーニングローラ１０３と、移動部材５によるワイプ部材３４の移動操作に応じてクリーニングローラ１０３を転動させる回転機構１０４とを有するクリーニング機構１００とを備える。【選択図】図２５
2008068601.tif 000002
【特許請求の範囲】
【請求項１】
液体を吐出する液体吐出ノズルが配列された液体吐出面を有する液体吐出ヘッドと、
上記液体吐出面に摺接され、該液体吐出面を払拭するワイプ部材と、
上記ワイプ部材が配設されるとともに、該ワイプ部材を上記液体吐出ヘッドと対向する位置と該液体吐出ヘッドから退避する位置との間に亘って移動させる移動部材と、
上記液体吐出ヘッドから退避した位置に移動された上記ワイプ部材と摺接されることにより、該ワイプ部材のクリーニングを行うクリーニングローラと、上記移動部材による上記ワイプ部材の移動操作に応じて上記クリーニングローラを回転させる回転機構とを有するクリーニング機構とを備える液体吐出装置。
【請求項２】
複数の上記クリーニングローラが並列されるとともに、相隣接するクリーニングローラが互いに密着され、一のクリーニングローラが回転されると、他のクリーニングローラが従動されていくことを特徴とする請求項１記載の液体吐出装置。
【請求項３】
上記各クリーニングローラは、上記ワイプ部材が摺接される一端のクリーニングローラから他端のクリーニングローラにかけて順次、吸水力が増大していくことを特徴とする請求項２記載の液体吐出装置。
【請求項４】
上記各クリーニングローラは、一方向のみ回転可能とされていることを特徴とする請求項２記載の液体吐出装置。
【請求項５】
上記各クリーニングローラは、ベース部材に回動自在に支持されたフレームに回転自在に支持され、
上記フレームは、上記移動部材に当接されることにより、上記各クリーニングローラのいずれか一つのシャフトを支軸として回動され、該支軸にはワンウェイクラッチが設けられていることを特徴とする請求項４記載の液体吐出装置。
【請求項６】
シャフトに上記ワンウェイクラッチが設けられたクリーニングローラは、上記フレームに並列して支持されている各クリーニングローラのうち、一端に設けたものであることを特徴とする請求項５記載の液体吐出装置。
【請求項７】
上記クリーニングローラは、一方向のみ回転可能とされていることを特徴とする請求項１記載の液体吐出装置。
【請求項８】
上記クリーニングローラは、ベース部材に回動自在に支持されたフレームに回転自在に支持され、
上記フレームは、上記移動部材に当接されることにより、上記クリーニングローラのシャフトを支軸として回動され、該支軸にはワンウェイクラッチが設けられていることを特徴とする請求項７記載の液体吐出装置。
【発明の詳細な説明】
【技術分野】
【０００１】
本発明は、液体吐出ヘッドに形成された液体吐出ノズルから対象物に液体を吐出させる液体吐出装置に関し、特に液体吐出ヘッドのクリーニングを行うブレードのクリーニング機構に関する。
【背景技術】
【０００２】
インクジェット方式の画像形成装置、例えばインクジェットプリンタは、ランニングコストが低く、プリント画像のカラー化、装置の小型化が容易である等の点から広く普及されている。このインクジェットプリンタは、プリントヘッドのインク吐出面に設けられた微小なインク吐出ノズルから微量なインクを吐出させて画像記録を行うようになっている。この種のインクジェットプリンタでは、長時間続けて印刷動作を行わず、プリントヘッドのインク吐出ノズルからインクを吐出させていない場合には、前回の印刷動作によりインク吐出面のインク吐出ノズル付近に付着したインクが蒸発乾燥して増粘、固化してしまうことがあり、正常なインク吐出が困難となる場合がある。
【０００３】
このため、従来では、やや硬めのゴム製等のブレードをプリントヘッドのインク吐出面に押し当て、該インク吐出面上をスライドさせることにより、上記インク吐出面に付着して増粘、固化したインクを拭い去ることでプリントヘッドのクリーニングを行っていた。これに関連して、特開昭５７−３４９６９号公報（特許文献１）には、複数のブレードを回転軸に取り付けて回転させ、ワイピング効果をさらに高める技術が開示されている。
【０００４】
また、ゴム製のブレードをプリントヘッドのインク吐出面に摺動させることによりクリーニングを行う技術に関し、プリントヘッドの未使用時にインク吐出面を閉塞することによりインク吐出面の乾燥を防ぐヘッドキャップを設け、このヘッドキャップにブレードを配設したインクジェットプリンタが提案されている（例えば特許文献２）。このインクジェットプリンタにおいては、ヘッドキャップがプリントヘッドのインク吐出面に対してスライド自在に設けられ、プリントを行う前にはプリントヘッドを閉塞し、プリント時に開放するようにスライド操作される。そしてこのインクジェットプリンタは、ヘッドキャップによるプリントヘッドの開放あるいは閉塞動作に応じて、ブレードをインク吐出面に摺接させることで、インク吐出面に付着したインクを払拭していく。
【０００５】
【特許文献１】特開昭５７−３４９６９号公報
【特許文献２】特開２００５−１５３１８４号公報
【発明の開示】
【発明が解決しようとする課題】
【０００６】
ここで、インク吐出面のクリーニングを行ったブレードには、払拭したインクが付着しているため、インク吐出面のクリーニング効果を保つにはブレード自体のクリーニングが必要となる。インクが付着したブレードのクリーニングは、ヘッドキャップがインク吐出面より退避された位置に、インクを吸収可能なクリーニングシートを配し、このクリーニングシートにブレードを摺動させることにより行う。クリーニングシートは、例えば無端ベルトからなり、ブレードの移動方向に離間して支持された支軸の一方にワンウェイクラッチが設けられることにより、ブレードが摺動される度に一方に送り操作され、常時、清浄な面を臨ませ、ブレードのクリーニング効果を維持している。
【０００７】
しかし、かかる無端ベルトからなるクリーニングシートは、押し出し成形により製造されるもので、金型を起こしてから量産に至るまでの製造リードタイムが長く、また製造コストも高い。さらにクリーニングシートは、出来上がり品の厚みや円周長、長さなどのバラツキが大きく、また作業環境などにも大きく影響されるため、初期歩留まりが悪く、採用は困難である。
【０００８】
そこで、本発明は、ブレードのクリーニングを効果的に行うことができ、また長期使用にも耐えることができる液体吐出装置を提供することを目的とする。
【課題を解決するための手段】
【０００９】
上述した課題を解決するために、本発明にかかる液体吐出装置は、液体を吐出する液体吐出ノズルが配列された液体吐出面を有する液体吐出ヘッドと、上記液体吐出面に摺接され、該液体吐出面を払拭するワイプ部材と、上記ワイプ部材が配設されるとともに、該ワイプ部材を上記液体吐出ヘッドと対向する位置と該液体吐出ヘッドから退避する位置との間に亘って移動させる移動部材と、上記液体吐出ヘッドから退避した位置に移動された上記ワイプ部材と摺接されることにより、該ワイプ部材のクリーニングを行うクリーニングローラと、上記移動部材による上記ワイプ部材の移動操作に応じて上記クリーニングローラを転動させる回転機構とを有するクリーニング機構とを備えるものである。
【発明の効果】
【００１０】
本発明にかかる液体吐出装置によれば、液体吐出ヘッドを払拭したワイプ部材が、液体吐出ヘッドから退避した位置まで移動されると、クリーニングローラと摺接されることによりクリーニングされる。したがってワイプ部材は、常に清浄に保たれ、液体吐出ヘッドのクリーニング性能を維持することができる。また、クリーニングローラは、ワイプ部材の移動操作に応じて転動されるため、ワイプ部材が摺接する位置が移動していき、常に清浄な面によってクリーニングを行うことができる。さらに、クリーニングローラは、回転機構によって転動されていく間にワイプ部材より吸引した液体が蒸発されることから、ワイプ部材のクリーニング性能を長期に亘って維持することができる。
【発明を実施するための最良の形態】
【００１１】
以下、本発明にかかる液体吐出装置が適用されたインクジェットプリンタ装置（以下、プリンタ装置という。）について、図面を参照しながら詳細に説明する。図１〜図４に示すように、本発明が適用された液体吐出ヘッドを払拭するワイプ部材は、対象物となる記録紙に対してインクを吐出して画像や文字を印刷するインク吐出装置、いわゆるインクジェットプリンタ装置１の液体吐出ヘッドの液体吐出面のクリーニングに用いられるものである。なお、ここでのインクジェットプリンタ装置１は、記録紙の印刷幅に合わせてインク吐出ノズルを設けた、いわゆるラインヘッド型のプリンタ装置である。
【００１２】
このプリンタ装置１は、プリンタ本体２を有し、このプリンタ本体２に、インクカートリッジが装着されインクを吐出するヘッドカートリッジ４、及びこのヘッドカートリッジ４を保護するヘッドキャップ５とを備えるインクジェットヘッド３と、ヘッドキャップ５をヘッドカートリッジ４の開閉方向に移動するキャップ移動機構６と、プリンタ装置１の制御を行う制御機構７（図２７参照）と、記録紙を収納する記録紙トレイ８とを備える。
【００１３】
そしてプリンタ装置１は、インクジェットヘッド３がプリンタ本体２に対して着脱可能であり、更に、ヘッドカートリッジ４に対してインク供給源となるインクカートリッジ１１ｙ，１１ｍ，１１ｃ，１１ｋが着脱可能とされている。なお、このプリンタ装置１では、イエローのインクカートリッジ１１ｙ、マゼンタのインクカートリッジ１１ｍ、シアンのインクカートリッジ１１ｃ、ブラックのインクカートリッジ１１ｋが使用可能となっており、また、プリンタ本体２に対して着脱可能なインクジェットヘッド３とヘッドカートリッジ４に対して着脱可能なインクカートリッジ１１ｙ，１１ｍ，１１ｃ，１１ｋを消耗品とし、交換可能となっている。
【００１４】
このようなプリンタ装置１は、記録紙を積層して収納する記録紙トレイ８をプリンタ本体２の前面底面側に設けられたトレイ装着口８０に装着することにより、記録紙トレイ８に収納されている記録紙Ｐをプリンタ本体２内に給紙できる。記録紙トレイ８は、プリンタ本体２の前面のトレイ装着口８０に装着されると、装置内の給排紙機構９により記録紙Ｐが給紙ローラ８１に圧接され、この給紙ローラ８１が回転駆動されることによって、図４中矢印Ａ方向に示すようにトレイ装着口８０よりプリンタ本体２の背面側に給紙する。
【００１５】
そして、プリンタ装置１は、プリンタ本体２の背面側に送られた記録紙Ｐを、反転ローラ８３により搬送方向を反転し、プリンタ本体２の背面側から前面側に送る。プリンタ本体２の背面側から前面側に送られる記録紙Ｐは、プリンタ本体２の前面に設けられたトレイ装着口８０より排紙されるまでに、ヘッドカートリッジ４によってパーソナルコンピュータ等の情報処理装置より入力された文字データや画像データに応じた文字や画像が印刷される。
【００１６】
記録紙Ｐに印刷を行うヘッドカートリッジ４は、図３中矢印Ｂに示すように、プリンタ本体２の上面側からカートリッジ装着部２２に装着され、復路を走行する記録紙Ｐに対してインクｉを吐出し印刷を行う。具体的に、ヘッドカートリッジ４は、液体であるインクｉを、例えば電気熱変換式又は電気機械変換式などで微細に粒子化して吐出し、記録紙Ｐ等といった記録媒体上にインク液滴を吹き付けることで印刷を行う。
【００１７】
ヘッドカートリッジ４にインクを供給するインクカートリッジ１１は、図５及び図６に示すように、ヘッドカートリッジ４に着脱自在に形成されたカートリッジタンク１２を有し、このカートリッジタンク１２は、長手方向を使用する記録紙Ｐの幅方向の寸法と略同じ寸法となす略矩形状に形成され、内部に貯留するインク容量を最大限に増やす構成となっている。
【００１８】
具体的に、インクカートリッジ１１を構成するカートリッジタンク１２には、インクｉを収容するインク収容部１３と、インク収容部１３からヘッドカートリッジ４のカートリッジ本体２１にインクｉを供給するインク供給部１４と、外部よりインク収容部１３内に空気を取り込む外部連通孔１５と、外部連通孔１５より取り込まれた空気をインク収容部１３内に導入する空気導入路１６と、外部連通孔１５と空気導入路１６との間でインクｉを一時的に貯留するインク貯留部１７と、インク収容部１３内のインクｉの残量を検出するための残量検出部１８と、ヘッドカートリッジ４のカートリッジ本体２１に設けられたカートリッジ装着部２２に係合される係合凸部１９とが設けられている。
【００１９】
インク供給部１４は、インク収容部１３の下側略中央部に設けられており、ヘッドカートリッジ４に対する接続部となる。このインク供給部１４は、インク収容部１３と連通した略凸形状のノズルであり、このノズルの先端が後述するヘッドカートリッジ４の接続部２５に嵌合されることにより、インクカートリッジ１１のカートリッジタンク１２とヘッドカートリッジ４のカートリッジ本体２１を接続し、ヘッドカートリッジ４へインクｉを供給可能とする。
【００２０】
外部連通孔１５は、図６に示すように、インクカートリッジ１１外部からインク収容部１３に空気を取り込む通気口であり、ヘッドカートリッジ４のカートリッジ装着部２２に装着されたときも、外部に臨み外気を取り込むことができるように、カートリッジ装着部２２への装着時に外部に臨む位置であるカートリッジタンク１２の上面、ここでは上面略中央に設けられている。そして外部連通孔１５は、インクカートリッジ１１がカートリッジ本体２１に装着されてインク収容部１３からカートリッジ本体２１側にインクｉが流下した際に、インク収容部１３内のインクｉが減少した分に相当する分の空気を外部よりインクカートリッジ１１内に取り込む。
【００２１】
空気導入路１６は、インク収容部１３と外部連通孔１５とを連通し、外部連通孔１５より取り込まれた空気をインク収容部１３内に導入する。これにより、このインクカートリッジ１１がカートリッジ本体２１に装着された際に、カートリッジ本体２１にインクｉが供給されてインク収容部１３内のインクｉが減少し、カートリッジタンク１２内部が減圧状態となっても、インク収容部１３には、空気導入路１６によりインク収容部１３に空気が導入されることから、内部の圧力が平衡状態に保たれてインクｉをカートリッジ本体２１に適切に供給することができる。
【００２２】
インク貯留部１７は、外部連通孔１５と空気導入路１６との間に設けられ、インク収容部１３に連通する空気導入路１６よりインクｉが漏れ出た際に、いきなり外部に流出することがないようにインクｉを一時的に貯留する。具体的に、このインクカートリッジ１１では、常温、常圧時においてインク貯留部１７にインクｉがない状態となる。しかしながら、インクカートリッジ１１においては、外部圧力の低下又は外部温度の上昇が起こると、インク収容部１３内の空気が膨張し、膨張した空気がインクｉをインク収容部１３より空気導入路１６を介してインク貯留部１７に押し出してしまう。このとき、インク貯留部１７は、インク収容部１３より押し出されたインクｉを一時的に貯留することから外部連通孔１５よりインクｉが漏れ出ることを防止できる。このインク貯留部１７は、長い方の対角線をインク収容部１３の長手方向とした略菱形に形成され、インク収容部１３の最も下側に位置する頂部に、すなわち短い方の対角線上の下側に空気導入路１６を設けるようにし、インク収容部１３より進入したインクを再度インク収容部１３に戻すことができるようにしている。また、インク貯留部１７は、短い方の対角線上の最も上側の頂部に外部連通孔１５を設けるようにし、インク収容部１３より進入したインクが外部連通孔１５より外部に漏れにくくしている。
【００２３】
残量検出部１８は、図６に示すように、カートリッジタンク１２の長手方向の一方側面に設けられている。残量検出部１８は、インク収容部１３内に臨まされる一対の検出ピンと、インクカートリッジ１１がヘッドカートリッジ４のカートリッジ装着部２２に装着されたとき、ヘッドカートリッジ４のインク残量検出部２４と電気的に接続される接点とを備える接点部材を有し、この接点部材は、カートリッジタンク１２の側面の高さ方向に複数並設されている。インクｉは、導電性を有するものを用いれば、インク収容部１３内に臨まされている一対の検出ピンを浸漬しているときには検出ピンの電気抵抗値を小さくさせ、浸漬していないときには検出ピンの電気抵抗値を高くさせることができる。すなわち、インク収容部１３内にインクｉが満杯のとき、全ての検出ピンは、インクに浸漬されており、全て電気抵抗値が低い状態となる。そして、インクが使用されるに連れて、検出ピンの電気抵抗値は上の段から順に高くなる。これにより、残量検出部１８は、インク収容部１３内のインク残量を検出することができる。
【００２４】
なお、インクカートリッジ１１においては、通常、印刷時にブラックのインクの消費量が最も多いので、インクカートリッジ１１ｋが他のインクカートリッジ１１ｙ、１１ｍ、１１ｃに比べてインク収容部１３の容量が大きいものとされている。具体的には、インクカートリッジ１１ｋのみが他のインクカートリッジ１１ｙ，１１ｍ，１１ｃに比べて厚く形成されている。
【００２５】
次いで、かかるインクカートリッジ１１が装着されるヘッドカートリッジ４の構成について説明する。このヘッドカートリッジ４は、図５及び図６に示すように、カートリッジ本体２１を有し、このカートリッジ本体２１には、インクカートリッジ１１が装着されるカートリッジ装着部２２と、係合凸部１９が係合される係合凹部２３と、インクカートリッジ１１内におけるインク残量を検出するインク残量検出部２４と、インク供給部１４と接続されてインクｉが供給される接続部２５と、インクを吐出するインク吐出ノズル２６とを有し、インク吐出ノズル２６が臨む底面がインク吐出面２７とされている。
【００２６】
インクカートリッジ１１が装着されるカートリッジ装着部２２は、インクカートリッジ１１が装着されるように上面をインクカートリッジ１１の挿脱口として略凹形状に形成され、ここでは各色のインクカートリッジ１１ｙ，１１ｍ，１１ｃ，１１ｋが挿脱されるカートリッジ装着部２２ｙ，２２ｍ，２２ｃ，２２ｋが記録紙の走行方向に並んで収納される。
【００２７】
係合凹部２３は、各カートリッジ装着部２２ｙ，２２ｍ，２２ｃ，２２ｋに設けられ、インクカートリッジ１１ｙ，１１ｍ，１１ｃ，１１ｋ毎に異なる配置パターンで設けられた係合凸部１９に対応して係合するようにされている。
【００２８】
インク残量検出部２４は、インクカートリッジ１１内のインクｉの残量を段階的に検出するものであり、各色のインクカートリッジ１１ｙ，１１ｍ，１１ｃ，１１ｋのカートリッジ装着部２２ｙ，２２ｍ，２２ｃ，２２ｋに設けられている。そしてインク残量検出部２４は、インクカートリッジ１１がヘッドカートリッジ４に装着されたとき、インクカートリッジ１１内の側面の高さ方向に並設された残量検出部１８に接触し電気的に接続される。
【００２９】
カートリッジ装着部２２の長手方向略中央には、インクカートリッジ１１がカートリッジ装着部２２に装着されたとき、インク供給部１４が接続される接続部２５が設けられている。この接続部２５は、カートリッジ装着部２２に装着されたインクカートリッジ１１のインク供給部１４からカートリッジ本体２１の底面に設けられたインクを吐出するインク吐出ノズル２６にインクを供給するインク供給路となる。そして、接続部２５は、詳細を省略する弁機構を備え、カートリッジタンク１２からインク吐出ノズル２６へのインクの供給を調整している。
【００３０】
接続部２５からインクｉが供給されるインク吐出ノズル２６は、カートリッジ本体２１の底面であるインク吐出面２７の長手方向に沿って配設されている。すなわち、図６及び図７に示すように、インク吐出ノズル２６は、カートリッジ本体２１の底面であるインク吐出面２７に、記録紙Ｐの幅方向となる図６及び図７中矢印Ｗ方向に略ライン状に各色毎に並設されている。そして、インク吐出ノズル２６には、カートリッジ本体２１にプリンタ本体２の背面側から前面側に向かって、装着されている各色のインクカートリッジ１１の並びに従って各色のノズルライン２６ｙ、２６ｍ、２６ｃ、２６ｋが設けられている。これらノズルライン２６ｙ、２６ｍ、２６ｃ、２６ｋは、記録紙Ｐの幅よりと略同一の長さに形成されており、記録紙Ｐに印刷を行う際に、記録紙Ｐの幅方向に移動することなく、イエロー、マゼンタ、シアン、ブラックのノズルライン毎にインクｉを吐出する。
【００３１】
カートリッジ本体２１の底面部には、図８に示すように、電気熱変化式の発熱抵抗体２８ａが設けられた回路基板２８と、インク吐出ノズル２６が形成されたノズルシート２９と、回路基板２８とノズルシート２９との間に設けられたフィルム３０とによって、接続部２５から供給されたインクｉを各インク吐出ノズル２６に供給するインク流路３１が形成されている。このインク流路３１は、インク吐出ノズル２６が並設されている方向、即ち図６中矢印Ｗ方向に長く形成されている。これにより、インク吐出ノズル２６では、各インクカートリッジ１１ｙ，１１ｍ，１１ｃ，１１ｋからカートリッジ本体２１の接続部２５を介してインクｉがインク流路３１に流れ込み、インク流路３１からインクｉが供給されるようになる。
【００３２】
また、インク吐出ノズル２６には、回路基板２８と、ノズルシート２９と、フィルム３０とによって囲まれ、発熱抵抗体２８ａがインクを加圧するインク液室３２が形成されている。このインク液室３２は、インク流路３１と接続されており、インク流路３１からインクｉが供給される。
【００３３】
以上のような構成からなるインク吐出ノズル２６では、制御信号に基づいて選択された発熱抵抗体２８ａに対して、例えば駆動周波数９ｋＨｚでパルス電流を供給する。これにより、インク吐出ノズル２６は、発熱抵抗体２８ａを急速に加熱する。インク吐出ノズル２６は、発熱抵抗体２８ａを加熱すると、図８（Ａ）に示すように、発熱抵抗体２８ａと接するインクｉに気泡ｂが発生する。そして、インク吐出ノズル２６は、図８（Ｂ）に示すように、気泡ｂが膨張しながらインクｉを加圧し、押圧されたインクｉを液滴の状態で吐出する。また、インク吐出ノズル２６は、液滴の状態でインクｉを吐出した後、インク流路３１を通してインクｉをインク液室３２に供給することによって、再び吐出前の状態へと戻る。インク吐出ノズル２６は、制御信号に基づいて、上述した動作を繰り返す。
【００３４】
ヘッドカートリッジ４のインク吐出面２７には、インク吐出面２７及びインク吐出ノズル２６を乾燥等から保護するヘッドキャップ５が着脱自在に取り付けられている。以下、ヘッドキャップ５について図９〜図１６を用いて説明する。なお、図９は、ヘッドキャップ５の平面図であり、図１０は図９に示すヘッドキャップ５から後述するクリーニングローラ３３、クリーニングブレード３４、切換部材３５及び天板５０を除いて示す平面図であり、図１１は図９中ｘ−ｘ断面図であり、図１２は図９中ｙ−ｙ断面図である。また、図１３はヘッドキャップ５がヘッドカートリッジ４のインク吐出面２７を閉塞する初期状態を示し、図１４はヘッドキャップ５がヘッドカートリッジ４を開放する開放方向に移動されている状態を示し、図１５はヘッドキャップ５がヘッドカートリッジ４を開放した状態を示し、図１６はヘッドキャップ５がヘッドカートリッジ４を閉塞する閉塞方向に移動されている状態を示している。
【００３５】
このヘッドキャップ５は、ヘッドカートリッジ４に対して着脱自在に形成されるとともに、後述するキャップ移動機構６によってヘッドカートリッジ４に対して相対的に移動可能とされている。そしてヘッドキャップ５は、印刷時にはヘッドカートリッジ４のインク吐出面２７を開放する開放方向となる矢印Ｏ方向に移動され、インク吐出面２７を記録紙Ｐの搬送領域上に臨ませ、印刷終了時等にはインク吐出面２７を閉塞するとともにヘッドカートリッジ４に装着する閉塞方向となる矢印Ｃ方向に移動され、インク吐出面２７を乾燥などから保護するようになっている。
【００３６】
このヘッドキャップ５は、四周に立ち上がり片を有する矩形状の箱からなり、その全体が硬質樹脂等で形成されている。またヘッドキャップ５は、ヘッドカートリッジ４を開放する移動方向の後端部に、インク吐出ノズル２６及びインク吐出面２７のクリーニングを行うクリーニングローラ３３と、クリーニングブレード３４と、これらクリーニングローラ３３とクリーニングブレード３４をインク吐出面２７より交互に退避するよう切り換える切換部材３５が設けられている。またヘッドキャップ５は、略中央部からヘッドカートリッジ４を開放する移動方向の先端側に、クリーニングローラ３３に付着したインクを掻き取るスクレーパ４８と、このスクレーパ４８が掻き取ったインクを吸引する吸引部材４９が配設され、これらが天板５０によって覆われている。
【００３７】
クリーニングローラ３３は、上記ヘッドカートリッジ４のインク吐出面２７をクリーニングするクリーニング部材となるもので、弾性を有する材料で円柱状に形成されている。このクリーニングローラ３３は、ヘッドキャップ５内の一側部にて該ヘッドキャップ５の長手方向に亘って取り付けられることにより、ヘッドカートリッジ４のインク吐出面２７の長手方向と平行となる。これにより、クリーニングローラ３３は、上記ヘッドカートリッジ４のインク吐出面２７の長手方向に沿って形成されたインク吐出ノズル２６の配列方向と平行とされる。また、クリーニングローラ３３は、長手方向の長さを、インク吐出ノズル２６の配列長さと略同等以上に形成されている。これにより、クリーニングローラ３３は、ヘッドキャップ５がインク吐出ノズル２６の配列方向と直交する方向に移動されることにより、インク吐出ノズル２６のノズルライン毎にクリーニングを行っていく。
【００３８】
このクリーニングローラ３３は、ヘッドキャップ５の一側部にて回転自在に支持されるとともに着脱自在に取り付けられている。すなわちクリーニングローラ３３の両端部には、図１７に示すように、芯金３６が突出して設けられ、この芯金３６が略Ｕ字状の形状でヘッドキャップ５の底面より立設されている軸受け３７によって回転自在に保持されている。この軸受け３７の上部のピン受入れ部は弾性的に開閉可能とされており、芯金３６を上方からピン受入れ部に押し付けることにより該ピン受入れ部が開いて芯金３６を受け入れ、その後閉じて保持する。逆に、上記の芯金３６を上方に持ち上げることにより、該ピン受入れ部が開いて芯金３６を取り外すことができるようになっている。
【００３９】
また、図１１に示すように、芯金３６にはクリーニングローラ３３をヘッドカートリッジ４のインク吐出面２７側に付勢するコイルバネ３８が係合されるローラフランジ３９が設けられている。ローラフランジ３９は、一面側において芯金３６と当接するとともに、他面側において係合凸部４０が形成され、この係合凸部４０にコイルバネ３８が係合されている。コイルバネ３８は、ヘッドキャップ５に立設された支軸４２に挿通され、ローラフランジ３９を上方に付勢している。これにより、クリーニングローラ３３は、ローラフランジ３９を介してコイルバネ３８の付勢力を受けてヘッドカートリッジ４のインク吐出面２７側に付勢される。なお、本願発明においては、上記コイルバネ３８に代えて、芯金３６を上方に押圧付勢する略Ｕ字状の板バネ等を用いてもよい。この場合、略Ｕ字状の板バネは、一端をヘッドキャップ５の底面に係止され、他端を芯金３６に係止されることにより、芯金３６を上方に付勢することとなる。
【００４０】
また、クリーニングローラ３３は、略円柱状に形成されるとともに、その長手方向の中央部分が緩やかに太くなったいわゆるクラウン形状に形成されている。これは、クリーニングローラ３３が長手方向の中央部分で下方に撓むことがあるので、その撓みによりインク吐出面２７と非接触になることを防止するためである。
【００４１】
また、クリーニングローラ３３のインク吐出面２７に接触する部分は、弾性を有するとともに液体を吸収する多孔質の材質、例えばエチレンプロピレンゴム、クロロプレンゴムあるいはウレタンゴム等の適宜の合成樹脂弾性材からなる。またクリーニングローラ３３の芯材は、例えば金属や硬質樹脂等で形成されている。そして、クリーニングローラ３３は、インク吐出面２７に接触する部分の外層に界面活性剤溶液が含浸されている。
【００４２】
なお、クリーニングローラ３３は、その断面周囲の長さが、クリーニングローラ３３をインク吐出面２７に接触させた状態で従動回転しながら該インク吐出面２７を移動する移動距離と等しい長さに形成してもよい。この場合、インク吐出面２７上を従動回転するクリーニングローラ３３の外周面において、所定の位置のインク吐出ノズル２６をクリーニングした接触部位が、再度他の位置のインク吐出ノズル２６をクリーニングすることがないため、インク吐出ノズル２６及びインク吐出面２７のクリーニングを安定して行うことができる。
【００４３】
このような、クラウン形状に設けられ且つ弾性力を備えたクリーニングローラ３３は、図１３に示すヘッドキャップ５がヘッドカートリッジ４のインク吐出面２７を閉塞する初期状態から、図１４に示すようにヘッドキャップ５がインク吐出面２７を開放する図１４中矢印Ｏ方向に移動されると、コイルバネ３８の付勢力を受けてヘッドカートリッジ４のインク吐出面２７の長手方向の全長に亘って当接する。そして、クリーニングローラ３３は、インク吐出面２７に当接された状態でさらにインク吐出面２７の開放方向に移動されることにより、インク吐出面２７を従動回転あるいは摺動し、インク吐出面２７及びインク吐出ノズル２６に残存するインクｉを吸い取っていく。このとき、クリーニングローラ３３は、インク吐出面２７に接触する外層に界面活性剤溶液が含浸されているため、インクに対する濡れ性が非常に良くなっている。このクリーニングローラ３３がインク吐出ノズル２６に接触すると、瞬時にクリーニングローラ３３とインク吐出面２７との間にインクの層が形成され、そのインクによって、増粘したインクが再溶解される。再溶解後、それらのインクは、濡れ性が高いクリーニングローラ３３に吸引され、容易にクリーニングすることができる。そしてヘッドキャップ５が図１３に示すヘッドカートリッジ４の閉塞位置から図１５に示すヘッドカートリッジ４の開放位置まで移動されることにより、クリーニングローラ３３は、ヘッドカートリッジ４のインク吐出面２７を全面に亘ってクリーニングすることができる。
【００４４】
また、クリーニングローラ３３は、ヘッドキャップ５がインク吐出面２７を閉塞する図１６中矢印Ｃ方向に移動されると、後述する切換部材３５によりコイルバネの付勢力に対抗して芯金３６が下方に押圧され、インク吐出面２７上より退避される。すなわち、印刷後にもクリーニングローラ３３をインク吐出面２７に従動回転されあるいは摺動すると、インク液室３２に貯留されている未使用インクを必要以上に吸引し不経済となるほか、クリーニングローラ３３の吸引性能が低下し、クリーニングローラ３３の寿命が短くなってしまう。しかし、本発明が適用されたプリンタ装置１は、ヘッドカートリッジ４の閉塞時にはクリーニングローラ３３をインク吐出面２７より退避させてクリーニングを行わないようにすることで、かかる事態を防止することができる。
【００４５】
次いで、このようなクリーニングローラ３３の近傍にて図９中左側に設けられたクリーニングブレード３４について説明する。このクリーニングブレード３４は、ヘッドカートリッジ４のインク吐出面２７を移動しながら増粘付着したインクのかすやゴミを払拭するためのワイプ部材となるもので、図１１及び図１２に示すように、インク吐出面２７に押し当てられて変形するゴムなどの弾性部材により薄板状に形成されたワイプ部４３と、ワイプ部４３を支持する支持板４４とを有し、さらにこの支持板４４がホルダ４５を介してヘッドキャップ５の底面側にヘッドキャップ５の移動方向に対して回動自在に取り付けられている。クリーニングブレード３４は、クリーニングローラ３３と同様に、ヘッドキャップ５の長手方向に取り付けられ、ヘッドカートリッジ４のインク吐出面２７の長手方向と平行となっている。そしてクリーニングブレード３４は、ヘッドキャップ５が移動されると、インク吐出面２７に押し当てられて変形しながら摺動することにより、該インク吐出面２７に付着して増粘固化したインクやゴミ等を払拭していく。
【００４６】
インク吐出面２７に摺動されるワイプ部４３は、ゴム等の合成樹脂を略矩形状に成型した後、外縁部を切断することにより形成される。これによりワイプ部４３は、ほぼ直角の角部を備え、この角部がインク吐出面２７を摺動することでインク吐出面２７上に付着した増粘インクやゴミ等を確実に払拭する。このワイプ部４３を支持する支持板４４は、金属板等の硬質の材料からなり、所定の金型内に配置されワイプ部４３の原料となる合成樹脂が流された後、当該金型から抜き取られることにより、ワイプ部４３と一体にされる。
【００４７】
この支持部４４を回動可能に支持するホルダ４５は、ヘッドキャップ５の底面に該ヘッドキャップ５の移動方向に回動自在に取り付けられることにより、クリーニングブレード３４を回動可能に保持するものである。このホルダ４５は、断面略Ｌ字状に形成され、一辺に支持板４４が取り付けられ、他辺には一端がヘッドキャップ５に係止されたねじりコイルバネ４６の他端が係止されている。これによりホルダ４５は、常時ワイプ部４３がインク吐出面２７上に臨まされる図１１中矢印Ｒ方向に回動付勢されている。
【００４８】
そして、クリーニングブレード３４は、ヘッドキャップ５が後述するキャップ移動機構６によって図１３に示すヘッドカートリッジ４を閉塞している初期状態からヘッドカートリッジ４を開放する図１４中矢印Ｏ方向に移動されると、後述する切換部材３５によってホルダ４５が図１１中反矢印Ｒ方向に回動されワイプ部４３がインク吐出面２７より退避される。また、クリーニングブレード３４は、ヘッドキャップ５がヘッドカートリッジ４を開放した図１５に示す開放位置からヘッドカートリッジ４を閉塞する図１６中矢印Ｃ方向に移動されると、後述する切換部材３５による付勢力が解かれ、ねじりコイルバネ４６の付勢力によって図１１中矢印Ｒ方向に回動されるため、ワイプ部４３がインク吐出面２７上に臨まされる。そして、ヘッドキャップ５の移動によってワイプ部４３がインク吐出面２７を摺動し、インク吐出面２７に付着したインクやゴミ等を払拭していく。
【００４９】
このとき、クリーニングブレード３４は、インク吐出面２７との摺動によるヘッドキャップ５の底面側へ過剰な倒れ込みを防止するため、ホルダ４５がストッパプレート４７によって支持される。ストッパプレート４７は、板バネ等の弾性部材からなり、略矩形板状に形成されることにより、ヘッドキャップ５の後端部に長手方向に亘って配設されている。このストッパプレート４７は、ホルダ４５の支持板４４が取り付けられた面と反対側の面に当接し、支持する支持部４７ａが設けられ、この支持部４７ａの先端がホルダ４５の回動領域まで延設されている。そしてストッパプレート４７は、ワイプ部４３とインク吐出面２７とが摺接することによりホルダ４５が図１２中矢印Ｒ方向に傾倒すると、支持部４７ａがホルダ４５と当接され、クリーニングブレード３４のさらなる矢印Ｒ方向への傾倒を防止する。これにより、ストッパプレート４７は、クリーニングブレード３４の過剰な倒れ込みが防止することができ、ワイプ部４３のほぼ直角に形成された角部をインク吐出面２７に摺接させることができると共に、ワイプ部４３が一定の圧力でヘッドカートリッジ４に摺接されるため、ワイプ部４３によるインク吐出面２７のクリーニング効率が低下することを防止することができる。
【００５０】
次いで、クリーニングローラ３３及びクリーニングブレード３４を切り換える切換部材３５について説明する。切換部材３５は、クリーニングローラ３３とクリーニングブレード３４との間に設けられ、インク吐出面２７を転動あるいは摺動可能に付勢されているクリーニングローラ３３及びクリーニングブレード３４を、ヘッドキャップ５の開閉移動に応じてインク吐出面２７より交互に退避するよう切り換えるためのものである。この切換部材３５は、クリーニングローラ３３の芯金３６及びクリーニングブレード３４のホルダ４５を押圧するスイッチ５１と、スイッチ５１を直立付勢するスイッチバネ５２とを有する。
【００５１】
スイッチ５１は、略へ字状に屈折されるとともに下端部に支持孔５３が穿設され、この支持孔５３にヘッドキャップ５の底面より立設された支持片に突設された回動ピンが挿通されることにより、ヘッドキャップ５の移動方向となる図１１中矢印Ｓ方向及び反矢印Ｓ方向に回動可能に支持されている。またスイッチ５１は、支持孔５３の下方に係止孔５４が穿設されスイッチバネ５２が係止されている。
【００５２】
スイッチバネ５２は、スイッチ５１の係止孔５４に係止する係止部５５と、ヘッドキャップ５の底面より立設された支持片に突設された係止ピンに係止する環状部５６とが形成されている。そしてスイッチバネ５２は、スイッチ５１を下方に付勢することにより、係止孔５４を回動中心としてスイッチ５１を常時、スイッチ５１が芯金３６ともホルダ４５とも当接しない直立方向に回動させる。
【００５３】
このような切換部材３５は、ヘッドキャップ５がインク吐出面２７を開放する図１４中矢印Ｏ方向に移動されると、スイッチ５１がインク吐出面２７に押圧されることによりスイッチバネ５２の付勢力に対抗して図１１中反矢印Ｓ方向に回動される。これによりスイッチ５１は、クリーニングブレード３４側の一側面５１ａがホルダ４５を押圧して、クリーニングブレード３４をねじりコイルバネ４６の付勢力に対抗して図１１中反矢印Ｒ方向に回動させ、ワイプ部４３をインク吐出面２７上から退避させる。一方、クリーニングローラ３３は、スイッチ５１に芯金３６が押圧されることがないため、コイルバネ３８の付勢力によってインク吐出面２７上に当接可能に臨まされている。従って、ヘッドキャップ５がインク吐出面２７を開放する図１４中矢印Ｏ方向に移動されると、クリーニングローラ３３のみがインク吐出面２７のクリーニングを行い、クリーニングブレード３４によるクリーニングが行われないよう切り換えられる。これにより、クリーニングローラ３３によるクリーニング後、クリーニングブレードによる過剰な摺動が抑制されるため、インク吐出ノズル２６及びインク吐出面２７を保護するとともに、クリーニングブレード３４の劣化を防止することができる。
【００５４】
また切換部材３５は、ヘッドキャップ５がインク吐出面２７を閉塞する図１６中矢印Ｃ方向に移動されると、スイッチ５１がインク吐出面２７に押圧されることによりスイッチバネ５２の付勢力に対抗して図１１中矢印Ｓ方向に回動される。これによりスイッチ５１のローラ側の他側面５１ｂが芯金３６を押圧し、コイルバネ３８の付勢力に対抗してクリーニングローラ３３をインク吐出面２７上から退避させる。一方、クリーニングブレード３４は、スイッチ５１にホルダ４５が押圧されることがないため、ねじりコイルバネ４６の付勢力によってインク吐出面２７上に当接可能に臨まされている。従って、ヘッドキャップ５がインク吐出面２７を閉塞する図１６中矢印Ｃ方向に移動されると、クリーニングブレード３４のみがインク吐出面２７のクリーニングを行い、クリーニングローラ３３によるクリーニングが行われないよう切り換えられる。
【００５５】
ここで、スイッチ５１は、上述したように略へ字状に屈折されることによりクリーニングローラ３３側の他側面５１ｂが凹状に形成されている。したがってスイッチ５１は、クリーニングローラ３３側である図１１中矢印Ｓ方向に回動されると、凹状の他側面５１ｂがクリーニングローラ３３の芯金３６と確実に係合して押圧することができ、クリーニングローラ３３をインク吐出面２７と摺接する位置から退避させることができる。
【００５６】
また、スイッチ５１は、クリーニングブレード３４側の一側面５１ａが円弧状に膨出されて形成されている。したがってスイッチ５１は、クリーニングブレード３４側である図１１中反矢印Ｓ方向に回動されると、円弧状に膨出された一側面５１ａがホルダ４５を徐々に押圧してスムーズにホルダ４５を回動させ、ワイプ部４３をインク吐出面２７と摺接する位置から退避させることができる。
【００５７】
また、スイッチ５１は、インク吐出面２７と摺接する頂部が円弧状に形成されている。したがってスイッチ５１は、インク吐出面２７に摺接する際にもインク吐出面２７を傷つけることなく、またスムーズに回動される。
【００５８】
次いで、クリーニングローラ３３上のゴミ等の異物を除去するスクレーパ４８、吸引部材４９及び天板５０について説明する。スクレーパ４８は、クリーニングローラ３３表面の異物を除去しやすいように細かい凹凸があり、且つ、クリーニングローラ３３表面のインクを若干吸引できるような、例えばスポンジ等から形成され、略矩形状に形成されることによりヘッドキャップ５の長手方向に亘って配設されている。このスクレーパ４８は、ヘッドキャップ５の略中央よりに配設されるとともに、クリーニングローラ３３と長手方向に亘って摺接可能な位置に配設されている。そしてスクレーパ４８は、インク吐出ノズル２６及びインク吐出面２７に付着したインクを吸引したクリーニングローラ３３が摺動回転されることにより、該クリーニングローラ３３に付着したインクかすやゴミ等の異物を掻き取る。またスクレーパ４８は、吸引部材４９と接触されており、クリーニングローラ３３より吸引したインクが該吸引部材４９によって吸引、保持される。
【００５９】
この吸引部材４９は、インクを吸引、保持可能な例えば不織布等から形成され、シート状に形成されることによりヘッドキャップ５の長手方向に亘って配設されている。また吸引部材４９は、ヘッドキャップ５がヘッドカートリッジ４を開放する移動方向先端側にかけて配設されている。この吸引部材４９は、スクレーパ４８よりも大きい毛管力を有し、該スクレーパ４８によって掻き取られたインクを吸引、保持する。これによってクリーニングローラ３３及びスクレーパ４８は、吸引したインクが飽和することなく、インク吐出ノズル２６及びインク吐出面２７のクリーニング性能を維持することができる。なお、この吸引部材４９は、ヘッドキャップ５の略中央から先端部に亘って広く配設されており、相当量のインクを吸引、保持することができる。
【００６０】
なお、吸引部材４９は天板５０によって上部を覆われているため、ヘッドキャップ５がヘッドカートリッジ４を閉塞した際にも、吸引部材４９とヘッドカートリッジ４のインク吐出面２７とが直接対峙することはなく、インク吐出面２７が吸引部材４９によって吸引、保持されたインクによって汚損されることはない。
【００６１】
この他、ヘッドキャップ５には、クリーニングローラ３３とクリーニングブレード３４との間に、廃インク受けが底面に配設されている。廃インク受けは、インクを吸着可能なスポンジ等の吸湿材のシートからなり、インク吐出ノズル２６からのインク吐出性能の安定化を図るために、クリーニングローラ３３によるクリーニング終了後、印刷前に行われる予備吐出によって吐出された廃インク液を吸着する。
【００６２】
次いで、上記ヘッドキャップ５をヘッドカートリッジ４の開閉方向に移動させるキャップ移動機構６について説明する。キャップ移動機構６は、図３及び図１８に示すように、プリンタ本体２内に配設されたシャーシの側面部６１に組み付けられた支持枠部材６２と、この支持枠部材６２に対してプリンタ本体２の前後方向にスライド自在に組み合わせられたヘッドキャップホルダ６３と、シャーシ側面部６１と支持枠部材６２との間においてプリンタ本体２の前後方向に移動操作されるラックプレート６４と、ウォームギヤ６６を介してラックプレート６４を移動させる駆動モータ６５とを備える。
【００６３】
支持枠部材６２は、合成樹脂によって一体に成形された全体略枠状の部材であり、プリンタ本体２内に配設されたシャーシに固定されている。支持枠部材６２は、後述するヘッドキャップ５を保持するヘッドキャップホルダ６３を、プリンタ本体２の前後方向に亘って移動可能に支持するものであり、プリンタ本体２の印刷位置から前面部に亘る長さを有する。
【００６４】
この支持枠部材６２は、図１９に示すように相対する前後方向の両側面部６２ａ，６２ｂに、互いに対をなし左右対称の貫通溝からなる第１のガイド溝６８と、第２のガイド溝６９がそれぞれ形成されている。第１のガイド溝６８は、プリンタ本体２の印刷位置に応じて形成され、プリンタ本体２の背面側の側面部６２ｃ近傍から前面側へと水平に延長された水平溝部６８ａと、この水平溝部６８ａの前端部において連通するとともに前面側へ向かって上方へ傾斜する傾斜溝部６８ｂとからなる。なお、水平溝部６８ａは、後端部６８ｃが背面側へ向かって上方に傾斜されている。また第２のガイド溝６９は、両側面部６２ａ，６２ｂの略中央部で第１のガイド溝６８の傾斜溝部６８ｂが立ち上がる基端部近傍を起点として前面側へと水平に延長された水平溝部６９ａと、この水平溝部６９ａの前端部において連通するとともに前面側へ向かって上方へ傾斜する傾斜溝部６９ｂと、傾斜溝部６９ｂの先端から湾曲しながら下方へ向かって傾斜された湾曲部６９ｄとからなる。なお、水平溝部６９ａも、後端部６９ｃが背面側へ向かって上方へ傾斜されている。
【００６５】
支持枠部材６２は、第１のガイド溝６８と第２のガイド溝６９とがそれぞれの水平溝部６８ａ，６９ａの後端部６８ｃ，６９ｃの間隔をほぼ等しい長さとし、また上述したヘッドキャップ５の幅方向と直交する奥行き方向の長さとほぼ等しい長さをもって形成されている。また支持枠部材６２は、第１のガイド溝６８と第２のガイド溝６９とが傾斜溝部６９ｂの前端と湾曲部６９ｄの前端との間隔をヘッドキャップ５の奥行き方向の長さとほぼ等しい長さをもって形成されている。
【００６６】
かかる支持枠部材６２によってプリンタ本体２の前後方向に亘る移動が支持されるヘッドキャップホルダ６３は、合成樹脂材によって成型され、相対する側面部６３ａ，６３ｂ間を複数の金属梁材により対向間隔を保持して連結されることにより全体略枠状に形成されている。ヘッドキャップホルダ６３は、上記ヘッドキャップ５が装着されることにより、このヘッドキャップ５を支持枠部材６２の第１のガイド溝６８及び第２のガイド溝６９に沿ってプリンタ本体２の前後方向に亘って移動させるものである。
【００６７】
このヘッドキャップホルダ６３には、側面部６３ａ，６３ｂの内面に、ヘッドキャップ５より凸設されたガイド凸部５ａ，５ｂ（図１７参照）が係合する水平方向のガイド溝（図示せず）がそれぞれ形成されている。各ガイド溝は、それぞれヘッドキャップホルダ６３の側面部６３ａ，６３ｂの前方に開口しており、この開口よりガイド凸部５ａ，５ｂが挿通されることによりヘッドキャップ５が組み合わされている。
【００６８】
またヘッドキャップホルダ６３は、図１８に示すように、側面部６３ａ，６３ｂに前後方向に離間してそれぞれ第１のガイドコロ７１と第２のガイドコロ７２とが突出して設けられている。ヘッドキャップホルダ６３は、第１のガイドコロ７１が支持枠部材６２の第１のガイド溝６８内に嵌合されるとともに、第２のガイドコロ７２が支持枠部材６２の第２のガイド溝６９内に嵌合される。これによりヘッドキャップホルダ６３は、支持枠部材６２にガイドされることによりプリンタ本体２の前後方向に亘ってスライド可能とされる。
【００６９】
具体的に、ヘッドキャップホルダ６３は、第１のガイドコロ７１が第１のガイド溝６８の後端部６８ｃに位置しかつ第２のガイドコロ７２が第２のガイド溝６９の後端部６９ｃに位置されると、ヘッドキャップ５を、ヘッドカートリッジ４のインク吐出面２７を閉塞した閉塞位置に保持する。またヘッドキャップホルダ６３は、第１、第２のガイドコロ７１，７２が第１、第２のガイド溝６８，６９内を前面側に移動され、それぞれ傾斜溝部６８ｂ，６９ｂの上方に移動されると、ヘッドキャップ５を、ヘッドカートリッジ４のインク吐出面２７を開放した退避位置に移動する。
【００７０】
また、ヘッドキャップホルダ６３は、この退避位置からさらに前面側へと移動され、上記クリーニングブレード３４のクリーニングを行うクリーニング位置に移動される。すなわち、ヘッドキャップホルダ６３は、上記退避位置へ移動されると第１のガイドコロ７１が第１のガイド溝６８の傾斜溝部６８ｂの前端に位置した状態で第２のガイドコロ７２が第２のガイド溝６９の湾曲部６９ｄを移動する。これによりヘッドキャップホルダ６３は、ヘッドキャップ５を第１のガイドコロ７１を支点として前方が下方へ傾斜しながらプリンタ本体２前面側のクリーニング位置に移動させる。このクリーニング位置には、ヘッドキャップ５の上方に、クリーニングブレード３４に付着したインクを吸引するブレードクリーニング機構１００が配設されている。ブレードクリーニング機構１００は、ヘッドキャップ５がクリーニング位置に移動されると、クリーニングブレード３４がブレードクリーニングローラ１０３に摺接されることにより、クリーニングブレード３４に付着したインクを吸引し、クリーニング性能を維持する。このブレードクリーニング機構１００については、後に詳述する。
【００７１】
支持枠部材６２を固定するシャーシの側面部６１には、図２０に示すように、支持枠部材６２の第１のガイド溝６８と第２のガイド溝６９の上方位置に水平方向に延設された第３のガイド溝７３が形成されている。この第３のガイド溝７３は、後述するラックプレート６４の側面に前後方向に離間して設けた一対のカムピン６４ａ，６４ｂが係合される。そして第３のガイド溝７３は、これらカムピン６４ａ，６４ｂが転動することによって、ラックプレート６４の側面部６１に沿った前後方向の移動をガイドする。
【００７２】
シャーシ側面部６１に移動をガイドされるラックプレート６４は、略矩形板状に形成され、下縁部にラック６４ｃがほぼ全長に亘って設けられている。ラック６４ｃは、シャーシ側面部６１に取り付けられた駆動モータ６５によって回転駆動されるウォームギヤ６６と噛合されている。これにより、ラックプレート６４は、駆動モータ６５の起動により、第３のガイド溝７３に係合されたカムピン６４ａ，６４ｂを介してシャーシ側面部６１に沿って移動する。
【００７３】
またラックプレート６４には、前面側に高さ方向のカム溝７４が形成されている。カム溝７４は上記ヘッドキャップホルダ６３に設けられた第２のガイドコロ７２が第２のガイド溝６９を貫通して係合されている。これにより第２のガイドコロ７２は、上下方向の移動がガイドされ、ヘッドキャップホルダ６３が支持枠部材６２の第１、第２のガイド溝６８，６９に沿った移動が可能とされる。
【００７４】
以上のように構成されたキャップ移動機構６は、初期状態においてヘッドキャップ５がヘッドカートリッジ４を閉塞している閉塞位置から、印刷動作を行うためにヘッドカートリッジ４を開放する開放位置に移動させる際には、後述する制御機構７からの制御信号に基づいて駆動モータ６５が駆動される。駆動モータ６５の出力軸６５ａ、フォーム６５ｂを介してウォームギヤ６６が回転されると、ウォームギヤ６６と係合されているラックプレート６４は、カムピン６４ａ，６４ｂがシャーシ側面部６１に形成された第３のガイド溝７３にガイドされながら水平方向にプリンタ本体２の前面側に移動される。
【００７５】
このときラックプレート６４はカム溝７４に係合されている第２のガイドコロ７２を引っ張るようにして移動するため、該第２のガイドコロ７２が設けられたヘッドキャップホルダ６３は、ラックプレート６４の移動に応じてプリンタ本体２の前面側に移動される。またヘッドキャップホルダ６３は、第１のガイドコロ７１が支持枠部材６２の第１のガイド溝６８に沿って移動し、また第２のガイドコロ７２が支持枠部材６２の第２のガイド溝６９に沿って移動していく。
【００７６】
ヘッドキャップホルダ６３は、第２のガイドコロ７２がラックプレート６４に高さ方向に沿って形成された第３のガイド溝７３に沿って移動されることから、高さ方向に移動可能とされ、第１、第２のガイドコロ７１，７２が支持枠部材６２に形成された第１、第２のガイド溝６８，６９の水平溝部６８ａ，６９ａから傾斜溝部６８ｂ，６９ｂにかけて移動可能とされている。これによりヘッドキャップホルダ６３は、プリンタ本体２の印刷位置から前面側に水平移動された後、プリンタ本体２の前面部において上方に移動し、プリンタ本体２の形状に応じてやや前傾に保持される。従って、ヘッドキャップホルダ６３に保持されているヘッドキャップ５は、ヘッドカートリッジ４を閉塞する閉塞位置からヘッドカートリッジ４を開放する退避位置を経てクリーニング位置へ移動されるとともに、クリーニング位置においては記録紙Ｐの搬送領域から退避される。
【００７７】
ヘッドキャップ５がヘッドカートリッジ４を開放しクリーニングブレード３４のクリーニングを行うクリーニング位置までヘッドキャップホルダ６３が移動されると、駆動モータ６５の駆動が停止され、印刷動作に移る。印刷動作が終了すると、制御機構７による制御信号に基づいて駆動モータ６５が起動され、上述したヘッドカートリッジ４の開放動作とは逆の動作を行うことによってヘッドキャップホルダ６３をプリンタ本体２の印刷位置まで移動させ、ヘッドキャップ５をヘッドカートリッジ４の閉塞位置に移動復帰させる。
【００７８】
次いで、ヘッドキャップ５に設けられたクリーニングブレード３４のクリーニングを行うブレードクリーニング機構１００について図２１〜図２３を用いて説明する。ブレードクリーニング機構１００は、図４に示すように、ヘッドカートリッジ４よりもプリンタ本体２の前面側に位置し、やや前下がりの状態で配置され、クリーニング位置まで搬送されたヘッドキャップ５が摺接可能とされている。ブレードクリーニング機構１００は、図２１に示すように、プリンタ本体２に固定されるベース部材１０１と、ベース部材１０１に回動自在に支持されているフレーム１０２と、クリーニングブレード３４のクリーニングを行うブレードクリーニングローラ１０３と、ヘッドキャップ５によるヘッドカートリッジ４の開閉動作に応じてブレードクリーニングローラ１０３を転動させる回転機構１０４とを有する。
【００７９】
本実施例に係るブレードクリーニング機構１００は、フレーム１０２に第１〜第５のブレードクリーニングローラ１０３ａ〜１０３ｅを並列するように支持し、プリンタ本体２の最も背面側に位置する第１のブレードクリーニングローラ１０３ａにクリーニングブレード３４を摺接させることによりクリーニングを行うとともに、この第１のブレードクリーニングローラ１０３ａが吸着したインクを第２〜第５のブレードクリーニングローラ１０３ｂ〜１０３ｅへ順次転写していくものである。
【００８０】
ベース部材１０１は、長手方向がヘッドキャップ５と略同一の長さを有する略矩形状の金属板からなり、ヘッドキャップ５の移動方向に対して長手方向が直交するようにして、プリンタ本体２の前面側の天井部に固定されている。このベース部材１０１は、左右一対の短辺１０１ａ、１０１ｂに、一対の軸受け片１０６，１０６が形成されている。軸受け片１０６，１０６は、フレーム１０２に嵌合された第５の軸受１０７ｅを挿通した第５の支軸１０５ｅを支持するベース軸受１１６が取り付けられることにより、第５の支軸１０５ｅを支軸としてフレーム１０２を回動自在に支持するとともに、第５のブレードクリーニングローラ１０３ｅの第５の支軸１０５ｅの回転方向を規制するワンウェイクラッチ１３０が取り付けられている。
【００８１】
またベース部材１０１は、前後一対の長辺１０１ｃ，１０１ｄのうち、プリンタ本体２の背面側の長辺１０１ｃに、フレーム１０２の回動範囲を規制する規制片１０９が形成されている。規制片１０９は、長辺１０１ｃより下方に延設され、フレーム１０２より突設されている係合片１１２が回動する開口部１０９ａが形成されている。かかる規制片１０９は、下方に回動付勢されているフレーム１０２の係合片１１２が開口部１０９ａの下側縁に当接されることにより回動範囲が規制される。なお規制片１０９は、長辺１０１ｃの左右両側に離間して一対設けられている。
【００８２】
またベース部材１０１は、プリンタ本体２の前面側の長辺１０１ｄには、フレーム１０２をベース部材１０１に対して回動付勢するコイルバネ１１０の一端が係止される係止部１１１が設けられている。係止部１１１は、長辺１０１ｄの左右両端に係止孔が穿設されることにより形成されている。
【００８３】
ベース部材１０１に回動自在に支持されているフレーム１０２は、長辺をベース部材１０１と略等しい長さとし、短辺をベース部材１０１よりも短く形成された略矩形状の金属板からなり、ベース部材１０１と同様に、ヘッドキャップ５の移動方向に対して長辺が直交するようにして、ベース部材１０１に支持されている。具体的に、フレーム１０２は、図２２に示すように、左右一対の短辺１０２ａ，１０２ｂ側の側壁１１３ａ，１１３ｂに、下方が開放された取付孔１１４がブレードクリーニングローラ１０３の数に応じて形成され、後述する第１〜第５のブレードクリーニングローラ１０３ａ〜１０３ｅの各支軸１０５ａ〜１０５ｅを支持する第１の〜第５の軸受１０７ａ〜１０７ｅが嵌合されている。このうち、プリンタ本体２の最も前面側に位置する第５のブレードクリーニングローラ１０３ｅの第５の支軸１０５ｅは、フレーム１０２の軸受け片１０６，１０６に勘合されているベース軸受１１６にも支持されている。これによりフレーム１０２は、第５の軸受１０７ｅ及びベース軸受１１６に支持された第５の支軸１０５ｅを支軸としてベース部材１０１に回動自在に支持されることとなる。
【００８４】
なお、フレーム１０２は、左右両側壁１１３ａ，１１３ｂに、各軸受け１０７ａ〜１０７ｅをフレーム１０２の側壁１１３ａ，１１３ｂとともに挟持することで、各ブレードクリーニングローラ１０３ａ〜１０３ｅの脱落を防止する押圧板１１５が取り付けられている。押圧板１１５は、各軸受け１０７ａ〜１０７ｅに支持された支軸１０５ａ〜１０５ｅを除く領域に対応して押圧片部１１５ａが形成され、フレーム１０２の天板部１０２ｅにネジ止めされることにより、この押圧片部１１５ａによって各軸受け１０７ａ〜１０７ｅを押圧する。
【００８５】
またフレーム１０２の側壁１１３ａ，１１３ｂは、プリンタ本体２の前面側に、コイルバネ１１０の他端が係止される係止孔１１７が穿設されている。係止孔１１７は、軸受け１０７ｅが取り付けられた位置よりもさらにプリンタ本体２の前面側に位置し、また側壁１１３ａ，１１３ｂの下端に形成されている。また係止孔１１７に係止されるコイルバネ１１０は、一端をベース部材１０１の長辺１０１ｄに形成された係止部１１１に係止され、他端をフレーム１０２の係止孔１１７に係止されることにより、伸張されている。したがって、フレーム１０２は、コイルバネ１１０に付勢されることにより、軸受け１０７ｅを支点として、常時、プリンタ本体２の背面側の長辺１０２ｃが下方に回動付勢されている。すなわち、フレーム１０２は、最も長辺１０２ｃ側に設けられた第１のブレードクリーニングローラ１０３ａが最も下方に回動される。
【００８６】
なお、コイルバネ１１０は、フレーム１０２の回動方向に対して略直交する方向に架け渡されていることから、伸張することにより発生する付勢力が、フレーム１０２の回動の向きと対向することがない。したがってブレードクリーニング機構１００は、コイルバネ１１０の付勢力がフレーム１０２の回動の障害とならず、ヘッドキャップ５の摺接による上方への回動をスムーズに行うことができる。
【００８７】
またフレーム１０２は、図２３に示すように、背面側の長辺１０２ｃにベース部材１０１の規制片１０９に対応して、係合片１１２が形成されている。係合片１１２は、長辺１０２ｃより下方に折り曲げ形成されるとともに、先端部がさらにプリンタ本体２の背面側に折り曲げられ規制片１０９の開口部１０９ａ内に延設されている。これによりフレーム１０２は、係合片１１２の開口部１０９ａ内における昇降範囲が規定されるため、ベース部材１０１に対する回動領域が規定される。
【００８８】
このフレーム１０２に支持されるブレードクリーニングローラ１０３は、連続気泡体からなる多孔性材料で形成された円筒体の中心に支軸１０５が挿通されることにより形成されている。このブレードクリーニングローラ１０３は、例えばポリエチレンやポリプロピレン等のオレフィン系合成樹脂材料を素材とする連続気泡体によって形成されることにより、吸水性を有し、またインク液や溶剤等に対する化学耐性を有しかつリサイクル性にも優れている。またブレードクリーニングローラ１０３は、フレーム１０２の長辺とほぼ同一の長さを有し、支軸１０５がフレーム１０２に取り付けられている軸受１０７に支持されることにより、フレーム１０２の両側壁１１３ａ，１１３ｂ間に亘って回転自在に配設されている。
【００８９】
本発明が適用されたブレードクリーニング機構１００では、図２４に示すように、第１〜第５のブレードクリーニングローラ１０３ａ〜１０３ｅが、プリンタ本体２の背面側から前面側にかけて、互いに密着しながら順次並列している。これにより第１〜第５のブレードクリーニングローラ１０３ａ〜１０３ｅは、いずれか一のブレードクリーニングローラ１０３が転動すると、他のブレードクリーニングローラ１０３も転動される。
【００９０】
また、第１〜第５のブレードクリーニングローラ１０３ａ〜１０３ｅは、クリーニングブレード３４が摺接される第１のブレードクリーニングローラ１０３ａから第５のブレードクリーニングローラ１０３ｅにかけて順次吸水性が高まっていくように形成されている。したがってブレードクリーニング機構１００は、回転機構１０４によって各ブレードクリーニングローラ１０３が転動されると、クリーニングブレード３４がインク吐出面２７より払拭し第１のクリーニングローラ１０３ａで吸水されたインクが、順次第２のブレードクリーニングローラ１０３ｂ〜第５のブレードクリーニングローラ１０３ｅへ転移していく。そのため、ブレードクリーニング機構１００は、第１のブレードクリーニングローラ１０３ａが飽和することなくクリーニングブレード３４のクリーニング性能を長期間に亘って維持することができる。また、従来のクリーニングシートに比して、クリーニングローラは表面積が増えるため、インクの吸引量も増加し、製品の長寿命化を図ることができる。
【００９１】
各ブレードクリーニングローラ１０３の支軸１０５は、フレーム１０２の両側壁１１３ａ，１１３ｂに取り付けられている軸受け１０７に回動自在に支持されている。支軸１０５を支持する軸受け１０７のうち、第５のブレードクリーニングローラ１０３ｅの第５の支軸１０５ｅは、上述したように、第５の軸受け１０７ｅに支持されるとともに、ベース部材１０１の軸受け片１０６，１０６に勘合されているベース軸受１１６にも支持されている。また第５の支軸１０５ｅは、一方の軸受け片１０６に取り付けられ、各ブレードクリーニングローラ１０３を転動させる回転機構１０４を構成するワンウェイクラッチ１３０に挿通されることにより、その回転方向が規制されている。
【００９２】
なお第１〜第５のブレードクリーニングローラ１０３ａ〜１０３ｅは、図２４及び図２５に示すように、省スペースを図るため、ジグザグに配列されているが、スペース上の問題がない場合には、直線状に配列させてもよい。
【００９３】
次いで各ブレードクリーニングローラ１０３ａ〜１０３ｅを転動させる回転機構１０４について説明する。回転機構１０４は、フレーム１０２に取り付けられると共にヘッドカートリッジ４を開放する方向に移動されたヘッドキャップ５と摺接されることによりフレーム１０２を回動させる回動カム１２３と、フレーム１０２の回動支軸となる第５のブレードクリーニングローラ１０３ｅの第５の支軸１０５ｅと係合され各ブレードクリーニングローラ１０３の回転方向を規制するワンウェイクラッチ１３０とを備える。
【００９４】
回動カム１２３は、フレーム１０２の両側壁１１３ａ，１１３ｂの背面側に取り付けられ、フレーム１０２の長辺１０２ｃ側が下方に回動付勢されることにより、ヘッドカートリッジ４の開放方向へ移動されたヘッドキャップ５と摺接可能とされている。フレーム１０２は、この回動カム１２３がヘッドキャップ５に摺接されることにより、コイルバネ１１０の付勢力に対抗してベース軸受１１６を支点に上方に回動され、また回動カム１２３がヘッドキャップ５による摺接が解除されると、コイルバネ１１０の付勢力によって再度下方に回動復帰される。回動カム１２３は、下面側にヘッドキャップ５が摺接される摺接面１２３ａが形成されている。摺接面１２３ａは、円弧状に形成され、ヘッドキャップ５との当接及びフレーム１０２の回動がスムーズに行われる。
【００９５】
なお回動カム１２３は、第１のブレードクリーニングローラ１０３ａの第１の支軸１０５ａを支持する第１の軸受１０７ａを兼ねて形成されている。また、回動カム１２３は、後述するワンウェイクラッチ１３０と同様のワンウェイクラッチを内蔵し、ヘッドキャップ５の開閉動作に応じて第１のブレードクリーニングローラ１０３ａを所定量だけ回動させるようにすることもできる。回動カム１２３にワンウェイクラッチが取り付けられることにより、より確実に第１のブレードクリーニングローラ１０３ａを一方向のみに回動させることができ、常に清浄な面をヘッドキャップ５側に向けて、クリーニングブレード３４の清浄効果を維持することができる。なお、この場合も、第１のブレードクリーニングローラ１０３ａは、隣接する第２のブレードクリーニングローラ１０３ｂの回転に従動して一方向へ回転される。
【００９６】
ワンウェイクラッチ１３０は、第５のブレードクリーニングローラ１０３ｅの第５の支軸１０５ｅの回転方向を規制することにより、この第５のブレードクリーニングローラ１０３ｅと密接されている他のブレードクリーニングローラ１０３ａ〜１０３ｄも一方向のみ転動可能とするものである。ワンウェイクラッチ１３０は、一方向の回転伝達を行う機構に一般的に用いられている様々なクラッチを用いることができる。
【００９７】
例えばワンウェイクラッチ１３０は、図２６に示すように、軸受けケース１３１と、軸受け金具１３２と、クラッチ金具１３３と、複数個の軸受けコロ１３４と、スプリング１３５等の部材によって構成される。
【００９８】
軸受けケース１３１は、全体が略円筒状に形成され、第５の支軸１０５ｅとほぼ同径であり一方側面に開口された第１軸孔１３６ａと、この第１軸孔１３６ａよりも大径であり他方側面に開口された第２軸孔１３６ｂとが段部１３６ｃを介して同軸に形成された軸孔１３６を有する。この軸受けケース１３１には、第２軸孔１３６ｂ内に、段部１３６ｃに突き当てて軸受け金具１３２が嵌め込まれている。軸受け金具１３２は、耐摩耗性に優れた金属材等により形成され、第２軸孔１３６ｂの軸長よりも小さい軸長を有し、例えば六角形の軸孔が貫通して形成された筒状の金具である。また軸受け金具１３２は、その軸孔の内径が第５の支軸１０５ｅの外径よりも大径とされる。
【００９９】
軸受けケース１３１は、第２軸孔１３６ｂ内に軸受け金具１３２を段部１３６ｃとの間に挟み込むようにして、クラッチ金具１３３が嵌め込まれている。クラッチ金具１３３は、耐摩耗性に優れた金属材等により形成され、一端側に第２軸孔１３６ｂの開口部を閉塞する筒状のフランジ部１３３ａが形成されるとともに、このフランジ部１３３ａの側面に軸受け金具１３２の軸孔に嵌合される外形が六角形のクラッチ筒部１３３ｂが一体に形成された変形筒状の金具である。
【０１００】
このクラッチ金具１３３には、クラッチ筒部１３３ｂにその外周面にそれぞれ開口する軸方向のカムスリット１３３ｃが円周方向に並んで複数個が形成される。クラッチ金具１３３には、クラッチ筒部１３３ｂに、各カムスリット１３３ｃにそれぞれ連通する円周方向のスプリング収納凹部１３３ｄが形成されるとともに、各スプリング収納凹部１３３ｄの内周壁を構成するようにして薄肉の弾性内壁部１３３ｅが一体に形成されている。各弾性内壁部１３３ｅは、共同して第５の支軸１０５ｅの外径とほぼ等しい内径でかつフランジ部１３３ａから開口する軸孔１３３ｆを構成する。
【０１０１】
そしてクラッチ金具１３３は、各カムスリット１３３ｃ内にそれぞれ軸受けコロ１３４が収納される。各軸受けコロ１３４は、スプリング収納凹部１３３ｄに収納されたスプリング１３５の弾性力によって、それぞれの外周部の一部に軸孔１３３ｆ内への突出習性が付与されて第５の支軸１０５ｅの外周部に当接する。
【０１０２】
かかるワンウェイクラッチ１３０は、軸受けケース１３１に貫通された第５の支軸１０５ｅに対して、その外周部にクラッチ金具１３３の各弾性内壁部１３３ｅと軸受けコロ１３４とが当接してこれを支持する。そしてワンウェイクラッチ１３０は、図２６（ｂ）において第５の支軸１０５ｅの反時計方向への回転動作に対して、各軸受けコロ１３４が各カムスリット１３３ｃ内において回転することから、第５の支軸１０５ｅと軸受けケース１３１とがかみ合うことはない。このとき第５の支軸１０５ｅは、フレーム１０２とともに、フレーム１０２の回動方向に回転する。
【０１０３】
一方、ワンウェイクラッチ１３０は、図２６（ｂ）において第５の支軸１０５ｅの時計方向への回転動作に対して、各軸受けコロ１３４が各カムスリット１３３ｃからスプリング収納凹部１３３ｄ側へと移動することによって各弾性内壁部１３３ｅを第５の支軸１０５ｅの外周部に圧接させる。これによりワンウェイクラッチ１３０は、軸受けケース１３１と第５の支軸１０５ｅとが一体化した状態となり、第５の支軸１０５ｅの時計方向への回転に連動して第５の支軸１０５ｅと軸受けケース１３１とがかみ合う。このとき第５の支軸１０５ｅは回転を規制され、フレーム１０２が回動されると第５の軸受１０７ｅが第５の支軸１０５ｅに対して相対的に空転する。
【０１０４】
そしてかかるワンウェイクラッチ１３０は、ベース部材１０１の軸受け片１０６に固定されるとともに、軸受けケース１３１に配設されたクラッチ金具１３３の軸孔１３３ｆに、フレーム１０２に嵌合された第５の軸受１０７及び軸受け片１０６に勘合されたベース軸受１１６に支持された第５の支軸１０５ｅが貫通され、この第５の支軸１０５ｅの外周部を各弾性内壁部１３３ｅが当接可能とされている。
【０１０５】
そしてワンウェイクラッチ１３０は、フレーム１０２の回動カム１２３がプリンタ本体２の前面側に移動されてきたヘッドキャップ５と摺接されることによりベース部材１０１に対して上方に回動されると、図２６（ｂ）の矢印で示すように、第５の支軸１０５ｅに時計方向の回転力が伝達され、軸受けコロ１３４がカムスリット１３３ｃからスプリング収納凹部１３３ｄ側へと移動して各弾性内壁部１３３ｅを第５の支軸１０５ｅの外周部に圧接させる。したがって、ワンウェイクラッチ１３０は、第５の支軸１０５ｅと軸受けケース１３１とが一体化された状態となり、第５の支軸１０５ｅの回転が規制される。このため、ブレードクリーニング機構１００は、第５のブレードクリーニングローラ１０３ｅが回転せず、第５の支軸１０５ｅに対して第５の軸受け１０７ｅが空転しながらフレーム１０２のみが上方に回動される。
【０１０６】
一方、ワンウェイクラッチ１３０は、フレーム１０２がヘッドキャップ５との摺接を解かれることによりベース部材１０１に対して下方に回動復帰されると、第５の軸受け１０７に反時計方向の回転力が伝達され、軸受けコロ１３４がカムスリット１３３ｃ側へ移動する。これによりワンウェイクラッチ１３０は、弾性内壁部１３３ｅと第５の支軸１０５ｅの外周部との間の圧接状態が解除され、軸受けコロ１３４が第５の支軸１０５ｅの外周部を空転する。したがって、ブレードクリーニング機構１００は、第５の支軸１０５ｅの自由な回転が可能となり、フレーム１０２の回動と連動して第５のブレードクリーニングローラ１０３ｅがフレーム１０２の回動方向と同方向に回転される。
【０１０７】
そしてブレードクリーニング機構１００は、図２６（ｂ）で示す反時計方向にのみ第５の支軸１０５ｅ及び第５のブレードクリーニングローラ１０３ｅを回転させるため、第５のブレードクリーニングローラ１０３ｅの回転力を受けて順次従動していく第４〜第１のブレードクリーニングローラ１０３ｄ〜１０３ａも、一方向にのみ回転されることとなる。
【０１０８】
そして、ブレードクリーニング機構１００は、ヘッドキャップ５がプリンタ本体２の前面側に移動されインク吐出面２７を開放する毎に回動カム１２３が押圧され、フレーム１０２が上方に回動される。またブレードクリーニング機構１００は、プリンタ本体２の前面側に移動されていたヘッドキャップ５がインク吐出面２７を閉塞するプリンタ本体２の背面側に移動されると、回動カム１２３の押圧が解除されるため、フレーム１０２がコイルバネ１１０の付勢力によって下方に回動される。したがってブレードクリーニング機構１００は、ヘッドキャップ５の往復動作毎に、所定量づつ第５のブレードクリーニングローラ１０３ｅが転動するとともに、この第５のブレードクリーニングローラ１０３ｅと密着する第４のブレードクリーニングローラ１０３ｄが所定量づつ転動され、以下、順次密着するように並列配置されている第３〜第１のブレードクリーニングローラ１０３ｃ〜１０３ａも所定量づつ転動していく。
【０１０９】
これによりクリーニングブレード３４のクリーニングを行う第１のブレードクリーニングローラ１０３ａは、クリーニングブレード３４が摺接される際には、前回の摺接時とは異なる部分が臨まされるため、クリーニング性能を維持することができる。またクリーニングブレード３４より吸引したインクが順次転写される各クリーニングローラ１０３も、隣接するクリーニングローラ１０３との接点が順次移っていくことから、インクの転写を効率よく行うことができる。
【０１１０】
ここで、記録紙トレイ８より記録紙Ｐをプリンタ本体２内に搬送し、印刷後に記録紙トレイ８上に排出する給排紙機構９について図４を参照しながら説明する。給排紙機構９に記録紙を供給する記録紙トレイ８は、プリンタ本体２の前面底面側に設けられたトレイ装着口８０に装着することにより、トレイ内に収納されている記録紙Ｐをプリンタ本体２内に給紙することができる。また、記録紙トレイ８は、プリンタ装置１によって印刷された記録紙Ｐが排出される排紙受け部８ａが上面に形成されている。
【０１１１】
給排紙機構９は、記録紙トレイ８に収納された記録紙をプリンタ本体２内に給紙する給紙ローラ８１と、記録紙Ｐを１枚づつ分離する分離ローラ８２と、記録紙Ｐの搬送方向をヘッドカートリッジ４側に反転させる反転ローラ８３と、記録紙Ｐをヘッドカートリッジ４からプリンタ本体２の前面側に搬送する搬送ベルト８４と、印刷された記録紙Ｐを排紙受け部８ａに排紙する排紙ローラ８５とを備える。
【０１１２】
給紙ローラ８１は、トレイ装着口８０に取り付けられた記録紙トレイ８に積層して収納された印刷前の記録紙Ｐを記録紙トレイ８から取り出し、プリンタ本体２の背面側に搬送する。分離ローラ８２は、給紙ローラ８１の近傍であって記録紙Ｐの搬送方向下流側に一対設けられ、積層収納されている記録紙Ｐを１枚のみ反転ローラ８３に送る。反転ローラ８３は、プリンタ本体２の背面側に搬送された記録紙Ｐの搬送方向を反転し、ヘッドカートリッジ４の下側に記録紙Ｐを搬送する。搬送ベルト８４は、ヘッドカートリッジ４の下方に位置し、記録紙Ｐをヘッドカートリッジ４の下側に保持するとともに印刷された記録紙Ｐをヘッドカートリッジ４の下側からプリンタ本体２の前面側に送り出す。排紙ローラ８５は、記録紙Ｐを記録紙トレイ８の上面に形成された排紙受け部８ａに排出する。
【０１１３】
なお詳細は省略するが、プリンタ装置１は、インクカートリッジ１１のインク収容部１３とヘッドカートリッジ４との間でインクｉを循環させる循環用ポンプ機構が設けられている。この循環用ポンプ機構は、インク流路３１やインク液室３２内に気泡が混入した状態でインクｉを吐出することによる印画品質の低下を防止するためにヘッドカートリッジ４内に混入した気泡を除去するためのものである。かかる循環用ポンプ機構は、例えばインクカートリッジ１１のインク収容部１３とヘッドカートリッジ４に形成されたインク流路３１とを循環用ポンプを介して、柔軟性を有する樹脂チューブ等からなるインク還流管により連結されてなる。インク還流管は、ヘッドカートリッジ４に設けられた各色毎のインク流路３１の両端部、すなわちヘッドカートリッジ４の長手方向に亘って形成された共通のインク流路３１の両端部に接続され、またカートリッジ装着部２２に装着されたカートリッジタンク１２の長手方向の両端部に接続されている。インク還流管の途中に設けられた循環用ポンプは、ヘッドカートリッジ４のインク流路３１とインクカートリッジ１１のインク収容部１３との間でインクｉを循環させるため吸入、排出の圧力発生部となるもので、例えばダイヤフラムポンプが用いられる。
【０１１４】
かかる循環用ポンプ機構は、プリンタ装置１の起動時や印画開始前等に駆動され、循環用ポンプによってヘッドカートリッジ４のインク流路３１からインクｉを吸引し、インクカートリッジ１１のインク収容部１３へ排出する。このとき、ヘッドカートリッジ４内において、インク流路３１の中央から両端部に向かって流れるインク循環となるため、インク流路３１内において存在する気泡が両端部に追いやられて、インクカートリッジ１１のインク収容部１３内に流入され、外部連通孔１５から空気中に放出される。これにより循環用ポンプ機構はインクｉ内に含まれる気泡を除去することができる。
【０１１５】
以上のように構成されるプリンタ装置１は、外部に設けられた情報処理装置９０から入力された印刷データに基づき、制御機構７により制御される。図２７は、当該制御機構７の構成及び動作を説明するためのブロック図である。制御機構７は、プリンタ装置１の印刷を制御する制御回路９１を備え、制御回路９１は、上述したプリンタ本体２の給排紙機構９、キャップ移動機構６の駆動制御するプリンタ駆動部９２と、インクジェットヘッド３に供給される電流等を制御する吐出制御部９３と、情報処理装置９０と信号の入出力を行う入出力端子９４と、制御プログラム等が記録されたＲＯＭ（Read Only Memory）９５と、読み出された制御プログラム等を一旦格納し、必要に応じて読み出されるＲＡＭ（Random Access Memory）９６と、各部の制御を行う制御部９７とを有している。
【０１１６】
プリンタ駆動部９２は、制御部９７からの制御信号に基づき、キャップ移動機構６の駆動モータ６５を駆動させてヘッドキャップ５を移動し、インク吐出面２７を開閉するようにヘッドキャップ移動機構６を制御する。また、プリンタ駆動部９２は、制御部９７からの制御信号に基づき、給排紙機構９を構成する駆動モータを駆動させてプリンタ本体２のトレイ装着口８０に装着された記録紙トレイ８から記録紙Ｐを給紙し、所定の搬送速度で装置内を搬送し、印刷後にトレイ装着口８０から記録紙Ｐを排出するように、給排紙機構９を制御する。
【０１１７】
吐出制御部９３は、制御部９７からの制御信号に基づいて、選択的に発熱抵抗体２８ａにパルス電流を流し、所定の周波数で発熱抵抗体２８ａを駆動制御する。
【０１１８】
入出力端子９４は、上述した印刷条件、印刷状態、インク残量等の信号を外部の情報処理装置９０に入出力する。ここで、上述した情報処理装置９０は、例えば、パーソナルコンピュータやデジタルスチルカメラ、カムコーダ、カメラ付き携帯電話、ＰＤＡ（Personal Digital Assistant）等の電子機器である。
【０１１９】
ＲＯＭ９５は、制御部９７が行う各処理のプログラムが格納されているメモリである。この格納されているプログラムは、制御部９７によりＲＡＭ９６にロードされる。ＲＡＭ９６は、制御部９７によりＲＯＭ９５から読み出されたプログラムやプリンタ装置１の各種状態を記憶する。
【０１２０】
制御部９７は、例えばＣＰＵ（Central Processing Unit）であり、ＲＡＭ９６にロードされたプログラムに基づいて、各部を駆動し、印刷データに応じた印刷を行う。また制御部９７は、インク残量検出部２４からの情報を受けて警告の表示を行い、また印刷枚数や印刷開始後の経過時間等を管理し、ヘッドキャップ５のクリーニング時期や交換時期を知らせる各種表示を行う。
【０１２１】
次に、本発明が適用されたプリンタ装置１の具体的な操作シーケンスについて説明する。プリンタ装置１は、ヘッドキャップ５がヘッドカートリッジ４を閉塞する初期状態において待機中に、プリンタ本体２に設けられた操作ボタンの操作により制御部９７に印刷開始の命令がされると、制御部９７からの制御信号により給排紙機構９、キャップ移動機構６を次のように駆動して、印刷が可能な状態にする。
【０１２２】
先ずプリンタ装置１は、印刷前のインク吐出面２７のクリーニングやインク残量検出等のメンテナンスを行う。具体的に制御部９７は、クリーニングの信号が送信すると、インクカートリッジ１１ｙ、１１ｍ、１１ｃ、１１ｋが正しく装着されているかを判別する。制御部９７は、インクカートリッジ１１のいずれかでも正しく装着されていない場合には、プリンタ本体２の所定箇所に警告を表示させる。
【０１２３】
制御部９７は、インク残量検出部２４からの信号を受けて、インクカートリッジ１１のインク収容部１３に収容されているインクｉの残量を判別する。そして制御部９７は、インク残量が基準値より少ない場合には、プリンタ本体２の所定箇所に警告を表示させる。
【０１２４】
次いで制御部９７は、循環用ポンプ機構を作動させ、ヘッドカートリッジ４のインク流路３１を流れるインクｉを循環用ポンプで吸引し、インクカートリッジ１１のインク収容部１３に排出することによってインクｉに含まれる気泡を除去する。制御部９７は、循環用ポンプが所定回数だけ駆動されたかを判別し、循環用ポンプの駆動回数が所定回数に達すると循環用ポンプ機構を停止する。
【０１２５】
次いで制御部９７は、プリンタ駆動部９２に信号を送りキャップ移動機構６を駆動させることにより、ヘッドキャップ５をヘッドカートリッジ４に対して記録紙トレイ８が設けられているプリンタ本体２の前面側に移動させる。これにより、プリンタ装置１では、インクジェットヘッド３のインク吐出面２７に設けられたインク吐出ノズル２６が外部に露出し、インクｉを吐出できるようになる。
【０１２６】
ここで、ヘッドキャップ５内には、上述したクリーニングローラ３３及びクリーニングブレード３４が設けられ、このうちクリーニングローラ３３がインク吐出面２７と摺動自在に支持されるとともに切換部材３５によってクリーニングブレード３４がインク吐出面２７上から退避されていることから、ヘッドキャップ５がヘッドカートリッジ４のインク吐出面２７を開放する図１１及び図１４中矢印Ｏ方向に移動されると、クリーニングローラ３３がコイルバネ３８の付勢力を受けてインク吐出面２７の長手方向の全長に亘って適度な圧力で押圧しながら従動回転して、インク吐出ノズル２６及びインク吐出面２７に付着したゴミや増粘固化したインクのクリーニングを行う。
【０１２７】
このとき、クリーニングローラ３３には、インク吐出面２７に接触する外層に界面活性剤溶液が含浸されているため、インクに対する濡れ性が非常に良い。クリーニングローラ３３がインク吐出ノズル２６に接触すると、瞬時にクリーニングローラ３３とインク吐出面２７との間にインクの層が形成され、そのインクによって、増粘したインクが再溶解され、粘度を低下させる。それら粘度低下したインクは、濡れ性が高いクリーニングローラ３３に吸引され、クリーニングローラ３３によるクリーニング効果を向上させることができる。従って、ヘッドキャップ５の開放動作と同時にクリーニングローラ３３によってインク吐出ノズル２６及びインク吐出面２７に付着した増粘インクやゴミを確実に除去されることから、インク吐出ノズル２６からインク滴が真っ直ぐに吐出されるようになり、ヘッドカートリッジ４の液体吐出性能を安定させることができる。
【０１２８】
なお、クリーニングローラ３３によって吸引されたインクはスクレーパ４８によって吸引された後、吸引部材４９に吸引される。したがって、クリーニングローラ３３は、吸引したインクが飽和することなく、クリーニング性能を維持することができる。
【０１２９】
また、クリーニングブレード３４は、切換部材３５のスイッチ５１がインク吐出面２７に押圧されて図１１中反矢印Ｓ方向に回動されることにより、スイッチ５１の他側面５１ｂにホルダ４５が押圧されて図１１中反矢印Ｒ方向に回動され、ワイプ部４３がインク吐出面２７上より退避されている。したがってクリーニングローラ３３によるクリーニングの後、クリーニングブレード３４による過剰な摺動が抑制されるため、インク吐出ノズル２６及びインク吐出面２７を保護するとともに、クリーニングブレード３４の劣化を防止することができる。
【０１３０】
またクリーニングブレード３４は、図２４に示すように、ヘッドキャップ５がプリンタ本体２の前面側に移動されることにより、ブレードクリーニング機構１００の第１のブレードクリーニングローラ１０３ａにワイプ部４３が摺動されてクリーニングが施される。これによりクリーニングブレード３４は、ヘッドキャップ５による開閉動作が複数回行われる毎に、インク吐出面２７をクリーニングした際に付着したインク等を第１のブレードクリーニングローラ１０３ａによって払拭することができるため、クリーニング性能を維持することができる。なおこのとき、クリーニングブレード３４は、ヘッドキャップ５がインク吐出面２７と対向する位置からプリンタ本体２の前面側に移動されているため、インク吐出面２７を摺動することにより反矢印Ｓ方向へ回動されていたスイッチ５１が矢印Ｓ方向へ回動復帰され、これにより矢印Ｒ方向へ回動復帰されている。したがってクリーニングブレード３４は、第１のブレードクリーニングローラ１０３ａと摺接可能とされている。
【０１３１】
クリーニングブレード３４のクリーニングが行われた後、さらにヘッドキャップ５が矢印Ｏ方向へ移動されると、図２５に示すように、回動カム１２３がヘッドキャップ５に摺接され、フレーム１０２が第５の支軸１０５ｅを支点に上方へ回動される。そして後にヘッドキャップ５が矢印Ｃ方向へ移動されると、回動カム１２３とヘッドキャップ５との摺接が解除され、フレーム１０２がコイルバネ１１０の付勢力の付勢力によって下方に回動される。これによりブレードクリーニング機構１００は、ヘッドキャップ５の往復動作に伴ってフレーム１０２が昇降され、このフレーム１０２の昇降動作に応じて回転機構１０４が第１〜第５のブレードクリーニングローラ１０３ａ〜１０３ｅを所定量づつ転動させていく。したがって、ブレードクリーニング機構１００は、クリーニングブレード３４が第１のブレードクリーニングローラ１０３ａに摺接する箇所が移っていくため、クリーニングブレード３４のクリーニング性能を維持することができる。
【０１３２】
なお、クリーニングブレード３４は、ヘッドキャップ５がヘッドカートリッジ４を閉塞する矢印Ｃ方向へ移動される際にも、第１のブレードクリーニングローラ１０３ａと矢印Ｏ方向への移動時とは反対側から摺接される。したがって、クリーニングブレード３４は、両面から第１のブレードクリーニングローラ１０３ａに摺接されるため、インク吐出面２７を摺動する両角部を十分にクリーニングすることができる。
【０１３３】
また、各ブレードクリーニングローラ１０３は、第１のブレードクリーニングローラ１０３ａから第５のブレードクリーニングローラ１０３ｅにかけて、順次インクの吸引力が増大していくように形成されている。これにより、クリーニングブレード３４から吸引したインクは、第１のブレードクリーニングローラ１０３ａから順に、相隣接して密着されている第２〜第５のブレードクリーニングローラ１０３ｂ〜１０３ｅにかけて転移していく。したがって、クリーニングブレード３４のクリーニングを行う第１のブレードクリーニングローラ１０３ａは、吸引したインクを転移させていくことでインク吸引力を維持することができる。また各ブレードクリーニングローラ１０３は、他のブレードクリーニングローラ１０３にインクを転移させていく他、時間の経過とともにインクが蒸発していくため、吸引力を長期に亘って維持することができる。
【０１３４】
このようにクリーニングブレード３４は、ブレードクリーニング機構１００によってクリーニングされることから、後にヘッドキャップ５がヘッドカートリッジ４を閉塞するプリンタ本体２の背面側に移動される際に、インク吐出面２７を確実にクリーニングすることができる。
【０１３５】
制御部９７は、吐出制御部９３に制御信号を送り、クリーニングローラ３３によってクリーニングが行われたインク吐出ノズル２６から順次、インクｉを予備吐出させる。予備吐出は、クリーニングローラ３３によって増粘インクが吸引されたインク吐出ノズル２６内の吐出性能を整えるために行うもので、クリーニングローラ３３とクリーニングブレード３４との間に設けられた吸湿材のシートからなる廃インク受けに向けてクリーニングローラ３３によるクリーニングが行われたノズルライン２６ｙ、２６ｍ、２６ｃ、２６ｋの順にインクｉの液滴を吐出することにより行う。
【０１３６】
予備吐出の後、制御部９７は再度各インクカートリッジ１１内に収容されたインクｉの残量を検出する。そしてインク残量が基準値よりも少ない場合にはプリンタ本体２の所定箇所に警告を表示させるよう制御する。
【０１３７】
インク残量の検出後、ヘッドキャップ閉トリガー信号が入力され、ヘッドキャップ５は、矢印Ｃ方向に示す軌跡を通って移動する。このとき、ヘッドキャップ５に設けられた切換部材３５は、スイッチ５１がインク吐出面２７に押圧されて、図１１中矢印Ｓ方向に回動される。したがって、クリーニングブレード３４は、ねじりコイルバネ４６の付勢力を受けたホルダ４５が図１１中矢印Ｒ方向に回動され、ワイプ部４３がインク吐出面２７と摺接可能とされる。これによりヘッドキャップ５が、ヘッドカートリッジ４の閉塞方向へ移動されると、クリーニングブレード３４によってインク吐出面２７に付着したインクやゴミ等のクリーニングが行われる。
【０１３８】
また切換部材３５は、スイッチ５１の一側面５１ａがクリーニングローラ３３の芯金３６を下方に押圧してクリーニングローラ３３をインク吐出面２７より退避させる。すなわち、上述した理由により、ヘッドキャップ５が元の位置に戻るときには、クリーニングローラ３３はインク吐出面２７をクリーニングしない。その後、図１３に示すように、ヘッドキャップ５が元の位置に戻って、再びヘッドカートリッジ４に装着されてインク吐出面２７を乾燥等から保護する。
【０１３９】
制御部９７は、かかるクリーニング動作の回数を管理し、プリンタ装置１の起動時に必要な所定回数（例えば３回）だけヘッドキャップ５の往復動作、すなわちクリーニングローラ３３及びクリーニングブレード３４によるヘッドカートリッジ４のクリーニングが行われたかを判別する。そして制御部９７は、ヘッドキャップ５の所定の往復回数に達するまでヘッドキャップ５の往復動作を続け、最後にヘッドキャップ５がインク吐出面２７を開放するプリンタ本体２の前面側で停止するように制御する。これにより、プリンタ装置１は、ヘッドカートリッジ４に対し、適宜必要なクリーニングが施されるため、常にインク吐出ノズル２６及びインク吐出面２７を清浄に保つことができ、安定したインク吐出性能を維持することができる。
【０１４０】
プリンタ装置１は、一連のクリーニング動作後においても各インクカートリッジ１１内に基準値以上の量のインクが残存している場合には、印刷動作を開始する。具体的に制御部９７は、プリンタ駆動部９２に制御信号を送って給排紙機構９を駆動させる。給排紙機構９は、記録紙トレイ８から給紙ローラ８１によって記録紙Ｐを引き出し、互いに反対方向に回転する一対の分離ローラ８２ａ，８２ｂによって１枚の記録紙Ｐのみを反転ローラ８３に送り、反転ローラ８３で搬送方向をインク吐出面２７側に反転させ、インク吐出面２７と対向する位置に設けた搬送ベルト８４上に記録紙Ｐを搬送する。プリンタ装置１は、搬送ベルト８４に搬送した記録紙Ｐをプラテン板８６で印刷位置に支持し、記録紙Ｐをインク吐出面２７と平行に対向させる。プリンタ装置１では、給排紙機構９により、所定の搬送速度、例えば４９．５ｍｍ／ｓｅｃ以上で記録紙Ｐを搬送する。
【０１４１】
なお、このときまでにヘッドキャップ５は、記録紙Ｐの搬送領域から退避され、下方に待機していた搬送ベルト８４及びプラテン板８６が上昇する。
【０１４２】
次に、プリンタ装置１は、制御部９７からの制御信号により、吐出制御部９３が駆動して、ヘッドカートリッジ４の発熱抵抗体２８ａに選択的に所定の周波数、例えば９ｋＨｚ以上でパルス電流を流し、発熱抵抗体２８ａを加熱する。プリンタ装置１は、発熱抵抗体２８ａを加熱することによって、図８に示すように、インク吐出面２７と対向する位置に搬送された記録紙Ｐに対してインク吐出ノズル２６より各色のインクｉを微小な液滴の状態にして吐出し、インクドットからなる画像や文字等を多色印刷する。
【０１４３】
次に、プリンタ装置１は、印刷された記録紙Ｐを記録紙トレイ８方向に回転する給排紙機構９の搬送ベルト８４と、搬送ベルト８４と対向し、記録紙トレイ８側に設けられた排紙ローラ８５とによって記録紙Ｐを記録紙トレイ８の排紙受け部８ａに送り出す。
【０１４４】
印刷動作が終了すると、ヘッドキャップ閉トリガー信号が入力され、搬送ベルト８４及びプラテン板８６がヘッドキャップ５の移動領域より下方に退避するとともに、図１６に示すように、ヘッドキャップ５が、ヘッドカートリッジ４を閉塞する矢印Ｃ方向に示す軌跡を通って移動する。このとき、ヘッドキャップ５に設けられた切換部材３５は、スイッチ５１がインク吐出面２７に押圧されて、図１１中矢印Ｓ方向に回動される。したがって、クリーニングブレード３４は、ねじりコイルバネ４６の付勢力を受けたホルダ４５が図１１中矢印Ｒ方向に回動され、ブレードクリーニング機構１００によりクリーニングが施されたワイプ部４３がインク吐出面２７と摺接可能とされる。これによりヘッドキャップ５が、ヘッドカートリッジ４の閉塞方向へ移動されると、クリーニングブレード３４によってインク吐出面２７に付着したインクやゴミ等のクリーニングが行われる。
【０１４５】
また切換部材３５は、スイッチ５１の一側面５１ａがクリーニングローラ３３の芯金３６を下方に押圧してクリーニングローラ３３をインク吐出面２７より退避させる。すなわち、このヘッドキャップ５が元の位置に戻るときには、クリーニングローラ３３はインク吐出面２７をクリーニングしない。すなわち、上述したように、印刷後にもクリーニングローラ３３をインク吐出面２７に従動回転されあるいは摺動すると、インク液室３２に貯留されている未使用インクを必要以上に吸引し不経済となるほか、クリーニングローラ３３の吸引性能が低下し、消耗品であるクリーニングローラ３３の寿命が短くなってしまうからである。その後、図１３に示すように、ヘッドキャップ５が元の位置に戻って、再びヘッドカートリッジ４に装着されてインク吐出面２７を乾燥等から保護する。
【０１４６】
以上、本発明が適用されたプリンタ装置１について説明したが、本発明は、上述した構成の他に、クリーニングローラ３３を用いず、クリーニングブレード３４のみでヘッドカートリッジ４のクリーニングを行うようにしてもよい。この場合、ヘッドキャップ５には、クリーニングブレード３４をインク吐出面２７から退避させる切換部材３５を設けない。そして、ヘッドキャップ５をヘッドカートリッジ４の開放方向及び閉塞方向に移動させる際に、クリーニングブレード３４をヘッドキャップ５の移動に応じてインク吐出面２７に摺接させることによりインク吐出ノズル２６やインク吐出面２７のクリーニングを行う。これによりクリーニングブレード３４のみで、インク吐出面２７の払拭とインク吐出ノズル２６の吸引を行うことができる。
【０１４７】
また、本発明が適用されたプリンタ装置１は、上述したようにクリーニングローラ１０３を５つ設ける構成に限らず、任意の数、すなわち一つ又は複数設けてもよい。一つだけ設けるようにした場合も、クリーニングブレード３４に付着したインクを吸引したクリーニングローラ１０３は、支軸１０５が回転機構１０４のワンウェイクラッチ１３０によって一方向に回転され、ヘッドキャップ５の往復動作に応じて漸次転動される。したがって、このクリーニングローラ１０３は、クリーニングブレード３４が摺接する部分が移動していくため、クリーニング性能を維持できる。またクリーニングローラ１０３は、吸引したインクが時間の経過とともに蒸発していくため、吸引力を維持することができる。
【０１４８】
また、本発明が適用されたプリンタ装置１は、クリーニングローラ１０３を複数設けた場合、各クリーニングローラ１０３の径を同一にする以外に、大小のクリーニングローラ１０３を組み合わせることにより、フレーム１０２の回動に伴う回転のストロークや、順次転移されるインクの吸引許容量を調整することもできる。
【０１４９】
また、本発明が適用されたプリンタ装置１は、クリーニングローラ１０３を複数設けた場合、フレーム１０２の回動支軸となるとともにワンウェイクラッチ１３０が設けられるクリーニングローラは、複数並列されたうちのプリンタ本体２の前面側の一端に支持されるクリーニングローラに限らず、適宜変更することができる。この場合も、各クリーニングローラ１０３は、互いに密着して支持されるため、いずれか一つのクリーニングローラがワンウェイクラッチ１３０によって回転方向が規制されると、その他のクリーニングローラも一方向のみに回転される。
【０１５０】
また、本発明が適用されたプリンタ装置１は、ヘッドキャップ５の開閉動作に応じて各クリーニングローラ１０３を回転させる回転機構１０４は、ワンウェイクラッチ１３０を用いる方法以外にも、例えばステッピングモーターとギヤ列を介して各クリーニングローラ１０３を連結させる等、公知の手段を用いて行うことができる。
【０１５１】
また、本発明が適用されたプリンタ装置１は、クリーニングローラ１０３を複数設けた場合に、クリーニングブレード３４がプリンタ本体２の最も背面側に支持された第１のブレードクリーニングローラ１０３ａのみに摺接するようにする以外にも、いずれか一又は複数のクリーニングローラに摺接するようにしてもよい。
【０１５２】
以上、本発明が適用されたプリンタ装置１についてラインヘッド型のプリンタ装置を例に挙げて説明したが、本発明はラインヘッド型のプリンタ装置に限定されることはなく、例えばインク吐出ヘッドが記録紙Ｐの走行方向と略直交する方向に移動するシリアルヘッド型の液体吐出装置にも適用可能である。
【０１５３】
また、本発明を適用したインクカートリッジ１１がプリンタ装置１に装着される場合について説明したが、本発明は、以上の例に限定されるものではなく、液体を吐出する他の液体吐出装置に広く装着することが可能である。例えばファクシミリやコピー機、液体中のＤＮＡチップ用吐出装置（特開２００２−２５３２００号公報）、プリンタ配線基板の配線パターンを形成するための導電性粒子を含む液体を吐出する液体吐出装置等に液体を供給するための液体カートリッジにも適用可能である。
【図面の簡単な説明】
【０１５４】
【図１】本発明が適用されたプリンタ装置を示す外観斜視図である。
【図２】インクジェットヘッド及び記録紙トレイが装着されるプリンタ装置を示す外観斜視図である。
【図３】プリンタ装置の分解斜視図である。
【図４】プリンタ装置の内部構成を示す側面図である。
【図５】インクジェットヘッドを示す斜視図である。
【図６】インクカートリッジが装着されたヘッドカートリッジを示す断面図である。
【図７】ヘッドカートリッジのインク吐出面を示す平面図である。
【図８】ヘッドカートリッジのインク吐出ノズルを示す断面図である。
【図９】ヘッドキャップを示す平面図である。
【図１０】ヘッドキャップの内部を示す平面図である。
【図１１】図９に示すヘッドキャップのｘ−ｘ断面図である。
【図１２】図９に示すヘッドキャップのｙ−ｙ断面図である。
【図１３】ヘッドキャップがヘッドカートリッジを閉塞している状態を示すインクジェットヘッドを示す側面図である。
【図１４】ヘッドキャップがヘッドカートリッジを開放している状態を示すインクジェットヘッドを示す側面図である。
【図１５】ヘッドキャップがヘッドカートリッジを開放している状態を示すインクジェットヘッドを示す側面図である。
【図１６】ヘッドキャップがヘッドカートリッジを閉塞している状態を示すインクジェットヘッドを示す側面図である。
【図１７】キャップ移動機構に支持されたヘッドキャップを示す平面図である。
【図１８】キャップ移動機構を示す平面図である。
【図１９】支持枠部材を示す側面図である。
【図２０】シャーシ側面部及びラックプレートを示す側面図である。
【図２１】ブレードクリーニング機構を示す斜視図である。
【図２２】ブレードクリーニング機構を示す分解斜視図である。
【図２３】ブレードクリーニング機構を示す斜視図である。
【図２４】クリーニングブレードのクリーニングを行うブレードクリーニング機構を示す側面図である。
【図２５】ブレードクリーニングローラを転動させるブレードクリーニング機構を示す斜視図である。
【図２６】ワンウェイクラッチを説明するための図である。
【図２７】制御機構を示すブロック図である。
【符号の説明】
【０１５５】
１  インクジェットプリンタ装置、２  プリンタ本体、３  インクジェットヘッド、４  ヘッドカートリッジ、５  ヘッドキャップ、６  キャップ移動機構、７  制御機構、８  記録紙トレイ、９  給排紙機構、１１  インクカートリッジ、１２  カートリッジタンク、２１  カートリッジ本体、２２  カートリッジ装着部、２６  インク吐出ノズル、２７  インク吐出面、３２  インク液室、３３  クリーニングローラ、３４  クリーニングブレード、３５  切換部材、３６  芯金、３７  軸受け、３８  コイルバネ、３９  ローラフランジ、４３  ワイプ部、４４  支持板、４５  ホルダ、４６  ねじりコイルバネ、４７  ストッパプレート、４８  スクレーパ、４９  吸引部材、５０  天板、５１  スイッチ、５２  スイッチバネ、６１  側面部、６２  支持枠部材、６３  ヘッドキャップホルダ、６４  ラックプレート、６５  駆動モータ、６８  第１のガイド溝、６９  第２のガイド溝、７１  第１のガイドコロ、７２  第２のガイドコロ、１００  ブレードクリーニング機構、１０１  ベース部材、１０２  フレーム、１０３  ブレードクリーニングローラ、１０４  回転機構、１０５  支軸、１０６  軸受け片、１０７  軸受、１０９  規制片、１１０  コイルバネ、１１１  係止部、１１２  係合片、１１３  側壁、１１４  取付孔、１１５  押圧板、１１７  係止孔、１２３  回動カム、１３０  ワンウェイクラッチ、１３１  軸受けケース、１３４  軸受けコロ
【図１】
2008068601.tif 000003
【図２】
2008068601.tif 000004
【図３】
2008068601.tif 000005
【図４】
2008068601.tif 000006
【図５】
2008068601.tif 000007
【図６】
2008068601.tif 000008
【図７】
2008068601.tif 000009
【図８】
2008068601.tif 000010
【図９】
2008068601.tif 000011
【図１０】
2008068601.tif 000012
【図１１】
2008068601.tif 000013
【図１２】
2008068601.tif 000014
【図１３】
2008068601.tif 000015
【図１４】
2008068601.tif 000016
【図１５】
2008068601.tif 000017
【図１６】
2008068601.tif 000018
【図１７】
2008068601.tif 000019
【図１８】
2008068601.tif 000020
【図１９】
2008068601.tif 000021
【図２０】
2008068601.tif 000022
【図２１】
2008068601.tif 000023
【図２２】
2008068601.tif 000024
【図２３】
2008068601.tif 000025
【図２４】
2008068601.tif 000026
【図２５】
2008068601.tif 000027
【図２６】
2008068601.tif 000028
【図２７】
2008068601.tif 000029